(57)【要約】      （修正有）【課題】記録装置に収容した記録媒体に対応する設定を正確に行える記録システムを提供する。【解決手段】記録システム２ａの記録装置１は、収容したロール紙に記録された、媒体設定情報を示す設定情報バーコードを読み取るバーコードリーダー１６と、ロール紙を搬送方向に搬送する搬送部と、ロール紙に記録する記録ヘッド１０と、バーコードリーダー１６の読取結果に基づいて媒体設定情報を取得し、取得した情報に基づいて記録媒体に関する設定を行い、媒体設定情報を送信する制御部３０と、を有し、ホストコンピューター３は、媒体設定情報を受信し、受信した情報に基づいて記録媒体に関する設定を行う制御装置制御部５０を有する。【選択図】図３
2016036935.tif 000002
【特許請求の範囲】
【請求項１】
収容した記録媒体に記録された、前記記録媒体に関する情報を示すコードを読み取る読取部と、
前記記録媒体を搬送方向に搬送する搬送部と、
前記記録媒体に記録する記録部と、
前記読取部の読取結果に基づいて前記記録媒体に関する情報を取得し、取得した情報に基づいて前記記録媒体に関する設定を行い、前記記録媒体に関する情報を送信する制御部と、を有する記録装置と、
前記記録装置で送信された前記記録媒体に関する情報を受信し、受信した情報に基づいて前記記録媒体に関する設定を行う制御装置制御部を有する制御装置と、
を備えることを特徴とする記録システム。
【請求項２】
前記記録媒体に記録されたコードが示す情報には、記録動作に関する情報が含まれ、
前記記録装置の前記制御部は、前記読取部の読取結果に基づいて前記記録動作に関する情報を取得し、取得した情報に基づいて記録動作に関する設定を行い、前記記録動作に関する情報を送信し、
前記制御装置の前記制御装置制御部は、前記記録装置で送信された前記記録動作に関する情報を受信し、受信した情報に基づいて、記録動作に関する設定を行う
ことを特徴とする請求項１に記載の記録システム。
【請求項３】
前記記録装置は、情報を報知する報知部を備え、
前記記録装置の前記制御部は、
前記記録媒体に関する設定が完了した場合、前記報知部に、その旨、報知させることを特徴とする請求項１又は２に記載の記録システム。
【請求項４】
前記記録装置の前記制御部は、
前記記録媒体の交換が開始されることを検出し、交換が行われる前に、前記搬送部及び前記記録部を制御して、収容した前記記録媒体に、前記記録媒体に関する情報を示すコードを記録させることを特徴とする請求項１乃至３のいずれか１項に記載の記録システム。
【請求項５】
前記記録装置の前記制御部は、
交換が行われる前に、前記搬送部及び前記記録部を制御して、収容した前記記録媒体に、前記記録媒体に関する情報、及び、現時点の記録動作に関する設定に基づく記録動作に関する情報を示すコードを記録させることを特徴とする請求項４に記載の記録システム。
【請求項６】
前記記録装置の前記制御部は、
前記読取部による前記コードの読み取りが完了した後、前記搬送部を制御して、少なくとも、前記コードが、前記記録部の記録位置よりも搬送方向の下流に位置するように、前記記録媒体を搬送させることを特徴とする請求項１乃至５のいずれか１項に記載の記録システム。
【請求項７】
前記記録装置の前記制御部は、
所定の場合に、前記搬送部を制御して、前記コードが前記読取部による読取位置に位置し、前記読取部による前記コードの読み取りが行われるまで、前記記録媒体を搬送方向に搬送することを特徴とする請求項１乃至６のいずれか１項に記載の記録システム。
【請求項８】
前記記録媒体に関する情報は、前記記録媒体に関する設定項目の設定値を示す情報であることを特徴とする請求項１乃至７のいずれか１項に記載の記録システム。
【請求項９】
前記記録媒体に関する情報は、前記記録媒体の識別情報であり、
前記記録装置は、前記識別情報と、前記記録媒体に関する設定項目の設定値を示す情報とを対応付けて記憶する記憶部を備え、
前記制御装置は、前記識別情報と、前記記録媒体に関する設定項目の設定値を示す情報とを対応付けて記憶する制御装置記憶部を備え、
前記記録装置の前記制御部は、前記読取部の読取結果に基づいて前記識別情報を取得し、取得した前記識別情報と前記記憶部に記憶された情報とに基づいて前記記録媒体に関する設定項目の設定値を取得し、取得した設定値に基づいて、前記記録媒体に関する設定を行い、前記識別情報を送信し、
前記制御装置の前記制御装置制御部は、前記記録装置で送信された前記識別情報を受信し、受信した情報と前記制御装置記憶部に記憶された情報とに基づいて前記記録媒体に関する設定項目の設定値を取得し、取得した設定値に基づいて、前記記録媒体に関する設定を行う
ことを特徴とする請求項１乃至７のいずれか１項に記載の記録システム。
【請求項１０】
記録装置が、
読取部によって、収容した記録媒体に記録された、前記記録媒体の識別情報を示すコードを読み取り、制御部によって、前記読取部の読取結果に基づいて前記識別情報を取得し、取得した前記識別情報を制御装置に送信し、
前記制御装置が、
制御装置制御部によって、前記記録装置で送信された前記識別情報を受信し、受信した前記識別情報を管理装置に送信し、
前記管理装置が、
管理装置制御部によって、前記制御装置で送信された前記識別情報を受信し、受信した前記識別情報に基づいて前記記録媒体に関する設定項目の設定値を示す設定値情報を取得し、取得した前記設定値情報を前記制御装置に送信し、
前記制御装置が、
前記制御装置制御部によって、前記管理装置で送信された前記設定値情報を受信し、受信した前記設定値情報に基づいて前記記録媒体に関する設定を行い、受信した前記設定値情報を前記記録装置に送信し、
前記記録装置が、
前記制御装置によって、前記制御装置で送信された前記設定値情報を受信し、受信した前記設定値情報に基づいて前記記録媒体に関する設定を行うことを特徴とする記録システム。
【請求項１１】
記録装置が、
読取部によって、収容した記録媒体に記録された、前記記録媒体の識別情報を示すコードを読み取り、制御部によって、前記読取部の読取結果に基づいて前記識別情報を取得し、取得した前記識別情報を管理装置に送信し、
前記管理装置が、
管理装置制御部によって、前記記録装置で送信された前記識別情報を受信し、受信した前記識別情報に基づいて前記記録媒体に関する設定項目の設定値を示す設定値情報を取得し、取得した前記設定値情報を制御装置に送信し、
前記制御装置が、
制御装置制御部によって、前記管理装置で送信された前記設定値情報を受信し、受信した前記設定値情報に基づいて前記記録媒体に関する設定を行い、受信した前記設定値情報を前記記録装置に送信し、
前記記録装置が、
前記制御部によって、前記制御装置で送信された前記設定値情報を受信し、受信した前記設定値情報に基づいて前記記録媒体に関する設定を行うことを特徴とする記録システム。
【請求項１２】
記録装置が、
読取部によって、収容した記録媒体に記録された、前記記録媒体の識別情報を示すコードを読み取り、制御部によって、前記読取部の読取結果に基づいて前記識別情報を取得し、取得した前記識別情報を管理装置に送信し、
前記管理装置が、
管理装置制御部によって、前記記録装置で送信された前記識別情報を受信し、受信した前記識別情報に基づいて前記記録媒体に関する設定項目の設定値を示す設定値情報を取得し、取得した前記設定値情報を前記記録装置に送信し、
前記記録装置が、
前記制御部によって、前記管理装置で送信された前記設定値情報を受信し、受信した前記設定値情報に基づいて前記記録媒体に関する設定を行い、受信した前記設定値情報を制御装置に送信し、
前記制御装置が、
制御装置制御部によって、前記記録装置で送信された前記設定値情報を受信し、受信した前記設定値情報に基づいて前記記録媒体に関する設定を行うことを特徴とする記録システム。
【請求項１３】
収容した記録媒体に記録された、前記記録媒体に関する情報を示すコードを読み取る読取部と、
前記記録媒体を搬送方向に搬送する搬送部と、
前記記録媒体に記録する記録部と、
前記読取部の読取結果に基づいて前記記録媒体に関する情報を取得し、取得した情報に基づいて前記記録媒体に関する設定を行う制御部と、
を備えることを特徴とする記録装置。
【発明の詳細な説明】
【技術分野】
【０００１】
本発明は、記録システム、及び、記録装置に関する。
【背景技術】
【０００２】
従来、記録媒体を収容する記録装置（印刷装置）を備え、記録装置が、記録媒体に記録された種別記録部を読み取り、読み取り結果を、データ処理装置に送信する記録システム（印刷システム）が知られている（例えば、特許文献１参照）。
【先行技術文献】
【特許文献】
【０００３】
【特許文献１】特開平０７−１３７３５４号公報
【発明の概要】
【発明が解決しようとする課題】
【０００４】
上述した記録システムのように、記録媒体を収容する記録装置を備えるシステムでは、記録装置に収容した記録媒体に応じた設定を行う必要がある。当該設定に誤りがあれば、画像が想定された位置と異なる位置に記録される等の原因となるため、当該設定は、正確に行う必要がある。
本発明は、上述した事情に鑑みてなされたものであり、記録装置に収容した記録媒体に対応する設定を正確に行えるようにすることを目的とする。
【課題を解決するための手段】
【０００５】
上記目的を達成するために、本発明の記録システムは、収容した記録媒体に記録された、前記記録媒体に関する情報を示すコードを読み取る読取部と、前記記録媒体を搬送方向に搬送する搬送部と、前記記録媒体に記録する記録部と、前記読取部の読取結果に基づいて前記記録媒体に関する情報を取得し、取得した情報に基づいて前記記録媒体に関する設定を行い、前記記録媒体に関する情報を送信する制御部と、を有する記録装置と、前記記録装置で送信された前記記録媒体に関する情報を受信し、受信した情報に基づいて前記記録媒体に関する設定を行う制御装置制御部を有する制御装置と、を備えることを特徴とする。
本発明の構成によれば、記録装置に収容した記録媒体に対応する設定を正確に行える。
【０００６】
また、本発明の記録システムは、前記記録媒体に記録されたコードが示す情報には、記録動作に関する情報が含まれ、前記記録装置の前記制御部は、前記読取部の読取結果に基づいて前記記録動作に関する情報を取得し、取得した情報に基づいて記録動作に関する設定を行い、前記記録動作に関する情報を送信し、前記制御装置の前記制御装置制御部は、前記記録装置で送信された前記記録動作に関する情報を受信し、受信した情報に基づいて、記録動作に関する設定を行うことを特徴とする。
本発明の構成によれば、読取部の読取結果に基づいて、記録動作に関する設定を自動で行うことができる。
【０００７】
また、本発明の記録システムは、前記記録装置は、情報を報知する報知部を備え、前記記録装置の前記制御部は、前記記録媒体に関する設定が完了した場合、前記報知部に、その旨、報知させることを特徴とする。
本発明の構成によれば、設定が完了したときに、そのことをユーザーに認識させることができる。
【０００８】
また、本発明の記録システムは、前記記録装置の前記制御部は、前記記録媒体の交換が開始されることを検出し、交換が行われる前に、前記搬送部及び前記記録部を制御して、収容した前記記録媒体に、前記記録媒体に関する情報を示すコードを記録させることを特徴とする。
本発明の構成によれば、交換に伴って記録装置から取り出した記録媒体を、再び、記録装置に収容する場合に、交換の際に記録したコードを利用して、自動で、記録媒体に関する設定を行うことができる。
【０００９】
また、本発明の記録システムは、前記記録装置の前記制御部は、交換が行われる前に、前記搬送部及び前記記録部を制御して、収容した前記記録媒体に、前記記録媒体に関する情報、及び、現時点の記録動作に関する設定に基づく記録動作に関する情報を示すコードを記録させることを特徴とする。
本発明の構成によれば、交換に伴って記録装置から取り出した記録媒体を、再び、記録装置に収容する場合に、交換の際に記録したコードを利用して、自動で、交換前の設定と同様の記録動作に関する設定を行うことができる。
【００１０】
また、本発明の記録システムは、前記記録装置の前記制御部は、前記読取部による前記コードの読み取りが完了した後、前記搬送部を制御して、少なくとも、前記コードが、前記記録部の記録位置よりも搬送方向の下流に位置するように、前記記録媒体を搬送させることを特徴とする。
本発明の構成によれば、コードに重ねて記録が行われることを防止できる。
【００１１】
また、本発明の記録システムは、前記記録装置の前記制御部は、所定の場合に、前記搬送部を制御して、前記コードが前記読取部による読取位置に位置し、前記読取部による前記コードの読み取りが行われるまで、前記記録媒体を搬送方向に搬送することを特徴とする。
本発明の構成によれば、ユーザーの利便性が向上する。
【００１２】
また、本発明の記録システムは、前記記録媒体に関する情報は、前記記録媒体に関する設定項目の設定値を示す情報である。
本発明の構成によれば、記録装置に収容した記録媒体に対応する設定を正確に行える。
【００１３】
また、本発明の記録システムは、前記記録媒体に関する情報は、前記記録媒体の識別情報であり、前記記録装置は、前記識別情報と、前記記録媒体に関する設定項目の設定値を示す情報とを対応付けて記憶する記憶部を備え、前記制御装置は、前記識別情報と、前記記録媒体に関する設定項目の設定値を示す情報とを対応付けて記憶する制御装置記憶部を備え、前記記録装置の前記制御部は、前記読取部の読取結果に基づいて前記識別情報を取得し、取得した前記識別情報と前記記憶部に記憶された情報とに基づいて前記記録媒体に関する設定項目の設定値を取得し、取得した設定値に基づいて、前記記録媒体に関する設定を行い、前記識別情報を送信し、前記制御装置の前記制御装置制御部は、前記記録装置で送信された前記識別情報を受信し、受信した情報と前記制御装置記憶部に記憶された情報とに基づいて前記記録媒体に関する設定項目の設定値を取得し、取得した設定値に基づいて、前記記録媒体に関する設定を行うことを特徴とする。
本発明の構成によれば、記録装置に収容した記録媒体に対応する設定を正確に行える。
【００１４】
また、上記目的を達成するために、本発明の記録システムは、記録装置が、読取部によって、収容した記録媒体に記録された、前記記録媒体の識別情報を示すコードを読み取り、制御部によって、前記読取部の読取結果に基づいて前記識別情報を取得し、取得した前記識別情報を制御装置に送信し、前記制御装置が、制御装置制御部によって、前記記録装置で送信された前記識別情報を受信し、受信した前記識別情報を管理装置に送信し、前記管理装置が、管理装置制御部によって、前記制御装置で送信された前記識別情報を受信し、受信した前記識別情報に基づいて前記記録媒体に関する設定項目の設定値を示す設定値情報を取得し、取得した前記設定値情報を前記制御装置に送信し、前記制御装置が、前記制御装置制御部によって、前記管理装置で送信された前記設定値情報を受信し、受信した前記設定値情報に基づいて前記記録媒体に関する設定を行い、受信した前記設定値情報を前記記録装置に送信し、前記記録装置が、前記制御装置によって、前記制御装置で送信された前記設定値情報を受信し、受信した前記設定値情報に基づいて前記記録媒体に関する設定を行うことを特徴とする。
本発明の構成によれば、記録装置に収容した記録媒体に対応する設定を正確に行える。
【００１５】
また、上記目的を達成するために、本発明の記録システムは、記録装置が、読取部によって、収容した記録媒体に記録された、前記記録媒体の識別情報を示すコードを読み取り、制御部によって、前記読取部の読取結果に基づいて前記識別情報を取得し、取得した前記識別情報を管理装置に送信し、前記管理装置が、管理装置制御部によって、前記記録装置で送信された前記識別情報を受信し、受信した前記識別情報に基づいて前記記録媒体に関する設定項目の設定値を示す設定値情報を取得し、取得した前記設定値情報を制御装置に送信し、前記制御装置が、制御装置制御部によって、前記管理装置で送信された前記設定値情報を受信し、受信した前記設定値情報に基づいて前記記録媒体に関する設定を行い、受信した前記設定値情報を前記記録装置に送信し、前記記録装置が、前記制御部によって、前記制御装置で送信された前記設定値情報を受信し、受信した前記設定値情報に基づいて前記記録媒体に関する設定を行うことを特徴とする。
本発明の構成によれば、記録装置に収容した記録媒体に対応する設定を正確に行える。
【００１６】
また、上記目的を達成するために、本発明の記録システムは、記録装置が、読取部によって、収容した記録媒体に記録された、前記記録媒体の識別情報を示すコードを読み取り、制御部によって、前記読取部の読取結果に基づいて前記識別情報を取得し、取得した前記識別情報を管理装置に送信し、前記管理装置が、管理装置制御部によって、前記記録装置で送信された前記識別情報を受信し、受信した前記識別情報に基づいて前記記録媒体に関する設定項目の設定値を示す設定値情報を取得し、取得した前記設定値情報を前記記録装置に送信し、前記記録装置が、前記制御部によって、前記管理装置で送信された前記設定値情報を受信し、受信した前記設定値情報に基づいて前記記録媒体に関する設定を行い、受信した前記設定値情報を制御装置に送信し、前記制御装置が、制御装置制御部によって、前記記録装置で送信された前記設定値情報を受信し、受信した前記設定値情報に基づいて前記記録媒体に関する設定を行うことを特徴とする。
本発明の構成によれば、記録装置に収容した記録媒体に対応する設定を正確に行える。
【００１７】
また、上記目的を達成するために、本発明の記録装置は、収容した記録媒体に記録された、前記記録媒体に関する情報を示すコードを読み取る読取部と、前記記録媒体を搬送方向に搬送する搬送部と、前記記録媒体に記録する記録部と、前記読取部の読取結果に基づいて前記記録媒体に関する情報を取得し、取得した情報に基づいて前記記録媒体に関する設定を行う制御部と、を備えることを特徴とする。
本発明の構成によれば、記録装置に収容した記録媒体に対応する設定を正確に行える。
【図面の簡単な説明】
【００１８】
【図１】第１実施形態に係る記録装置の要部の構成を示す図。
【図２】ロール紙の一例を示す図。
【図３】記録システムの機能的構成を示すブロック図。
【図４】記録装置、ホストコンピューターの動作を示すフローチャート。
【図５】バーコード情報の説明に利用する図。
【図６】記録装置の動作を示すフローチャート。
【図７】第２実施形態に係る記録装置、ホストコンピューターの動作を示すフローチャート。
【図８】媒体ＩＤテーブルを示す図。
【図９】第３実施形態に係る記録システムの機能的構成を示すブロック図。
【図１０】記録装置、ホストコンピューター、管理装置の動作を示すフローチャート。
【図１１】第４、第５実施形態に係る記録システムの機能的構成を示すブロック図。
【図１２】第４実施形態に係る記録装置、ホストコンピューター、管理装置の動作を示すフローチャート。
【図１３】第５実施形態に係る記録装置、ホストコンピューター、管理装置の動作を示すフローチャート。
【発明を実施するための形態】
【００１９】
以下、図面を参照して本発明の実施形態について説明する。
【００２０】
＜第１実施形態＞
図１は、本実施形態に係る記録装置１の要部の構成を示す図である。
図１を用いた説明では、矢印で示すように、図中で左へ向かう方向を「前方」とし、図中で右へ向かう方向を「後方」とし、図中で上へ向かう方向「上方」とし、図中で下へ向かう方向を「下方」とする。
記録装置１は、シリアルインクジェットプリンターである。記録装置１は、ロール紙Ｒ（記録媒体）を収容し、ロール紙Ｒを繰り出して搬送方向Ｈに搬送する。記録装置１は、搬送するロール紙Ｒに、シリアルインクジェットヘッドとして構成された記録ヘッド１０（記録部）によりインクを吐出して記録を実行する。
【００２１】
図２（Ａ）は、記録装置１に収容されるロール紙Ｒの一例を示す図である。
図２（Ａ）に示すロール紙Ｒは、帯状の剥離紙Ｒ３に、間隔をあけて複数のシール部Ｒ４が貼付されたラベル用紙である。シール部Ｒ４の裏面は、シールとなっており、シール部Ｒ４は剥離紙Ｒ３から取り剥がすことができる。シール部Ｒ４の長手方向の長さは一定である。また、隣接するシール部Ｒ４の間隔は一定である。
シール部Ｒ４に対応する領域が、画像の記録が可能な領域（ドットの形成が可能な領域）である。記録装置１は、シール部Ｒ４にドットを形成して、画像を記録する。
図２（Ａ）に示すように、ロール紙Ｒの裏面には、シール部Ｒ４のそれぞれに対応して、黒色のマークであるブラックマークＢＭが形成される。
図２（Ａ）に示すロール紙Ｒは、シール部Ｒ４を有する複数のラベルが、長手方向に連続して接続された用紙である。各ラベルは、隣接するシール部Ｒ４とシール部Ｒ４との間隙でロール紙Ｒから切り離されて使用される。
【００２２】
本実施形態では、記録装置１には、図２（Ａ）に示すロール紙Ｒが収容される。
【００２３】
図２（Ｂ）は、記録装置１に収容されるロール紙Ｒの別の一例を示す図である。
図２（Ｂ）に示すロール紙Ｒは、帯状のシートに、間隔を開けて、ギャップ部ＧＰが設けられる。ギャップ部ＧＰは、一方の端にシートを切り欠いて形成されたギャップＧと、他方の端にシートを切り欠いて形成されたギャップＧとを備える。隣接するギャップ部ＧＰの間隔は一定である。
図２（Ｂ）に示すロール紙Ｒは、複数のラベルが、ギャップ部ＧＰを境界として、長手方向に連続して接続された用紙である。各ラベルには、画像の記録が可能な領域（ドットの形成が可能な領域）である記録領域Ａ１が形成される。記録装置１は、記録領域Ａ１にドットを形成して、画像を記録する。各ラベルは、ギャップ部ＧＰに対応する位置でロール紙Ｒから切り離されて使用される。
【００２４】
本実施形態では、図２（Ａ）で例示したロール紙Ｒや、図２（Ｂ）で例示したロール紙Ｒのように、複数のラベルが長手方向に連続して接続された用紙を、「カットラベル」と表現する。
【００２５】
図１に示すように、記録装置１は、ロール紙Ｒを収容するロール紙収容部１１を備える。以下の説明では、ロール紙Ｒのうち、ロール紙収容部１１に収容されたロール状の部分を「ロール体Ｒ１」と表現する。また、ロール紙Ｒのうち、ロール紙収容部１１に収容されたロール体Ｒ１から繰り出されて搬送される部分を「搬送ロール紙Ｒ２」と表現する。
【００２６】
図１に示すように、記録装置１には、搬送ロール紙Ｒ２が搬送される経路である搬送経路１３が形成される。ロール体Ｒ１から繰り出された搬送ロール紙Ｒ２は、搬送経路１３に沿って搬送される。
【００２７】
図１に示すように、搬送経路１３には、搬送方向Ｈにおける上流から下流に向かって３つの搬送ローラー１４１、１４２、１４３が設けられる。搬送ローラー１４１、１４２、１４３のそれぞれに対向する位置には、搬送ローラー１４１、１４２、１４３の回転に従動して回転する従動ローラー１５１、１５２、１５３が設けられる。搬送ロール紙Ｒ２は、搬送ローラー１４１、１４２、１４３と、従動ローラー１５１、１５２、１５３とに挟持され、搬送ローラー１４１、１４２、１４３の回転に応じて、搬送方向Ｈに搬送される。搬送ローラー１４１、１４２、１４３は、動力伝達機構を介して搬送モーター３３（図３）と接続されており、搬送モーター３３の駆動に応じて回転する。
【００２８】
図１に示すように、搬送方向Ｈの最も上流側に設けられた搬送ローラー１４１と、搬送ローラー１４１の下流に設けられた搬送ローラー１４２との間には、案内部材１７が設けられる。案内部材１７は、搬送ロール紙Ｒ２の裏面に接触し、上方へ向かって繰り出された搬送ロール紙Ｒ２を、前方に向かうように屈曲させる。案内部材１７は、搬送ロール紙Ｒ２に接触して屈曲させることにより、搬送ロール紙Ｒ２に張りを与え、搬送ロール紙Ｒ２の弛みが発生することを抑制する。
【００２９】
搬送ローラー１４２の搬送方向Ｈにおける下流には、ブラックマークセンサー１８１が設けられる。ブラックマークセンサー１８１は、図２（Ａ）で例示したロール紙Ｒのように、裏面にブラックマークＢＭが形成されたロール紙Ｒが記録装置１に収容される場合に、ブラックマークＢＭを光学的に検出するセンサーである。制御部３０（図３）は、ブラックマークセンサー１８１の検出値に基づいて、当該センサーの検出位置にブラックマークＢＭが位置した場合、そのことを検出する。制御部３０は、検出結果に基づいて、ロール紙Ｒの位置を管理する。
【００３０】
ブラックマークセンサー１８１の搬送方向Ｈにおける下流には、ギャップセンサー１８２が設けられる。ギャップセンサー１８２は、図２（Ｂ）で例示したロール紙Ｒのように、ギャップ部ＧＰが形成されたロール紙Ｒが記録装置１に収容される場合に、ギャップＧを光学的に検出するセンサーである。制御部３０は、ギャップセンサー１８２の検出値に基づいて、当該センサーの検出位置にギャップＧが位置した場合、そのことを検出する。制御部３０は、検出結果に基づいて、ロール紙Ｒの位置を検出する。
【００３１】
ギャップセンサー１８２の搬送方向Ｈにおける下流には、バーコードリーダー１６（読取部）が設けられる。
バーコードリーダー１６は、搬送ロール紙Ｒ２の表面に記録されたバーコード（コード）を光学的に読み取り、読取結果を示す情報を制御部３０に出力する機能を有する装置である。
【００３２】
バーコードリーダー１６の搬送方向Ｈにおける下流には、搬送ローラー１４３が設けられ、搬送ローラー１４３の下流には、記録ユニット１９が設けられる。
記録ユニット１９は、キャリッジ２０と、キャリッジ２０に搭載された記録ヘッド１０とを備える。
キャリッジ２０は、搬送方向Ｈと交差する走査方向Ｙに延びたキャリッジ軸２０ａに支持され、キャリッジ軸２０ａに沿って、走査方向Ｙに記録ヘッド１０を走査する。
記録ヘッド１０は、インクジェットヘッドであり、複数色（例えば、ＣＹＭＫの４色）のノズル列を備える。記録ヘッド１０は、図示しないインクカートリッジからインクの供給を受けて、各ノズル列に設けられたノズルからインクを吐出して搬送ロール紙Ｒ２にドットを形成して画像を記録する。
【００３３】
記録ユニット１９の搬送方向Ｈにおける下流には、カッターユニット２１が設けられる。カッターユニット２１は、固定刃２２と、固定刃２２に対して交叉するように移動可能な可動刃２３とを備える。カッターユニット２１は、可動刃２３を移動させて、搬送ロール紙Ｒ２を切断する。
【００３４】
カッターユニット２１の搬送方向Ｈにおける下流には、排紙口２４が設けられる。搬送ロール紙Ｒ２は、排紙口２４を介して、記録装置１の筐体の外に排出される。
【００３５】
図１に示すように、ロール体Ｒ１の後方には、軸２７を中心として回動するカバー２６が設けられる。カバー２６が開状態となるとロール紙収容部１１が露出し、ロール紙Ｒの交換が可能となる。
カバー２６の下部には、カバー開閉機構２８が設けられる。カバー開閉機構２８は、カバー２６が閉状態のときに、カバー開閉スイッチ３６１（図３）が操作された場合、制御部３０の制御に従って、カバー２６を所定方向に回動させて、カバー２６を開状態とする。また、カバー開閉機構２８は、カバー２６が開状態のときに、カバー開閉スイッチ３６１が操作された場合、制御部３０の制御に従って、カバー２６を所定方向に回動させて、カバー２６を閉状態とする。
【００３６】
図３は、本実施形態に係る記録システム２ａの機能的構成を示すブロック図である。
図３に示すように、記録システム２ａは、記録装置１と、記録装置１に接続されて記録装置１を制御するホストコンピューター３（制御装置）とを備える。
【００３７】
図３に示すように、記録装置１は、制御部３０と、モーター駆動回路３１と、キャリッジ移動モーター３２と、搬送モーター３３と、カッター駆動モーター３４と、ヘッド駆動回路３５と、入力部３６と、報知部３７と、通信部３８と、記憶部３９と、を備える。
【００３８】
制御部３０は、ＣＰＵや、ＲＯＭ、ＲＡＭ、その他の制御回路等を備え、記録装置１を制御する。
【００３９】
モーター駆動回路３１は、キャリッジ移動モーター３２と接続する。キャリッジ移動モーター３２は、キャリッジ２０を走査方向Ｙへ移動させるモーターである。制御部３０は、モーター駆動回路３１を制御して、キャリッジ移動モーター３２に駆動電流や駆動パルスを出力し、キャリッジ移動モーター３２を駆動する。キャリッジ移動モーター３２の駆動に応じて、キャリッジ２０に搭載された記録ヘッド１０が走査方向Ｙへ移動する。
【００４０】
モーター駆動回路３１は、搬送モーター３３と接続する。搬送モーター３３は、搬送ローラー１４１、１４２、１４３を回転させるモーターである。制御部３０は、モーター駆動回路３１を制御して、搬送モーター３３に駆動電流や駆動パルスを出力し、搬送モーター３３を駆動する。搬送モーター３３の駆動に応じて、搬送ローラー１４１、１４２、１４３が回転し、搬送ローラー１４１、１４２、１４３の回転に応じて、記録媒体が搬送方向Ｈに搬送される。
モーター駆動回路３１、搬送モーター３３、搬送ローラー１４１、１４２、１４３、その他のロール紙Ｒの搬送に関する機構が「搬送部」に相当する。
【００４１】
モーター駆動回路３１は、カッター駆動モーター３４と接続する。カッター駆動モーター３４は、可動刃２３を移動させるモーターである。制御部３０は、モーター駆動回路３１を制御して、カッター駆動モーター３４に駆動電流や駆動パルスを出力し、カッター駆動モーター３４を駆動する。カッター駆動モーター３４の駆動に応じて、可動刃２３が移動し、搬送ロール紙Ｒ２が切断される。
【００４２】
ヘッド駆動回路３５は、記録ヘッド１０と接続する。ヘッド駆動回路３５は、制御部３０の制御で、記録ヘッド１０のノズルに対応して設けられたアクチュエーターを駆動し、ノズルからインクを吐出させる。ノズルからのインクの吐出に応じて、搬送ロール紙Ｒ２にドットが形成される。
【００４３】
入力部３６は、記録装置１の筐体に設けられた操作スイッチと接続する。入力部３６は、操作スイッチに対する操作を検出し、検出した操作を示す信号を制御部３０に出力する。制御部３０は、入力部３６からの入力に応じて、操作に対応する処理を実行する。
操作スイッチは、カバー開閉スイッチ３６１を有する。入力部３６は、カバー開閉スイッチ３６１に対する操作を検出し、検出した操作を示す信号を制御部３０に出力する。制御部３０は、入力に基づいてカバー開閉スイッチ３６１が操作されたことを検出する。制御部３０は、カバー２６が閉状態のときに、カバー開閉スイッチ３６１が操作されたことを検出した場合、カバー開閉機構２８を制御して、カバー２６を開状態とする。また、制御部３０は、カバー２６が開状態のときに、カバー開閉スイッチ３６１が操作されたことを検出した場合、カバー開閉機構２８を制御して、カバー２６を閉状態とする。
【００４４】
報知部３７は、ＬＥＤ部３７１と、表示部３７２と、を備える。
ＬＥＤ部３７１は、複数のＬＥＤを備える。ＬＥＤ部３７１は、制御部３０の制御で、複数のＬＥＤを所定の態様で点灯／消灯し、動作モードや、エラーの発生の有無等の記録装置１の状態を報知する。
表示部３７２は、液晶表示パネルを備える。表示部３７２は、制御部３０の制御で、表示部３７２に情報を表示する。
【００４５】
通信部３８は、制御部３０の制御で、ホストコンピューター３と所定の通信規格に準拠して通信する。
【００４６】
記憶部３９は、不揮発性メモリーを備え、各種データを記憶する。記憶部３９には、後述する設定ファイル３９１が記憶される。
【００４７】
上述したように、記録装置１は、バーコードリーダー１６を備える。バーコードリーダー１６は、バーコードを読み取り、読取結果を示す情報を制御部３０に出力する。制御部３０は、バーコードリーダー１６からの入力に基づいて、読取結果を示す情報を取得する。
【００４８】
また、上述したように、記録装置１は、ブラックマークセンサー１８１を備える。ブラックマークセンサー１８１は、所定の周期で、検出値を制御部３０に出力する。制御部３０は、ブラックマークセンサー１８１からの入力に基づいて、ブラックマークセンサー１８１の検出位置にブラックマークＢＭが位置したことを検出する。
【００４９】
また、上述したように、記録装置１は、ギャップセンサー１８２を備える。ギャップセンサー１８２は、所定の周期で、検出値を制御部３０に出力する。制御部３０は、ギャップセンサー１８２からの入力に基づいて、ギャップセンサー１８２の検出位置にブラックマークＢＭが位置したことを検出する。
【００５０】
図３に示すように、ホストコンピューター３は、制御装置制御部５０と、制御装置入力部５１と、制御装置表示部５２と、制御装置記憶部５３と、制御装置通信部５４と、を備える。
【００５１】
制御装置制御部５０は、ＣＰＵや、ＲＯＭ、ＲＡＭ、その他の制御回路等を備え、ホストコンピューター３を制御する。
【００５２】
制御装置入力部５１は、キーボードや、マウス等の入力デバイスに接続され、入力デバイスからの入力を検出して、制御装置制御部５０に出力する。制御装置制御部５０は、制御装置入力部５１からの入力に基づいて、入力に対応する処理を実行する。
【００５３】
制御装置表示部５２は、液晶表示パネル等の表示装置に接続され、制御装置制御部５０の制御で、表示装置に各種情報を表示する。
【００５４】
制御装置記憶部５３は、不揮発性メモリーを備え、各種データを記憶する。
【００５５】
制御装置通信部５４は、制御装置制御部５０の制御で、所定の通信規格に従って、記録装置１と通信する。
【００５６】
次に、記録を実行するときの記録装置１、及び、ホストコンピューター３の基本的な動作について説明する。
記録装置１に記録を実行させる際、ホストコンピューター３は、記録装置１に記録させる画像の画像データを生成する。次いで、ホストコンピューター３は、画像データを含み、画像データに基づく記録の実行を指示する制御データを生成する。ホストコンピューター３には、プリンタードライバーがインストールされる。制御データは、プリンタードライバーの機能により、記録装置１のコマンド体系に従ったコマンドを用いて生成される。ホストコンピューター３は、制御装置通信部５４を制御して、生成した制御データを記録装置１に送信する。
【００５７】
記録装置１の制御部３０は、通信部３８を制御して、制御データを受信する。次いで、制御部３０は、受信した制御データに含まれる画像データを画像バッファーに展開する。次いで、制御部３０は、画像バッファーに展開した画像データに基づいて、モーター駆動回路３１、及び、ヘッド駆動回路３５を制御して、記録ヘッド１０、キャリッジ２０、搬送ローラー１２、カッターユニット２１を駆動し、ロール紙Ｒに記録する。
【００５８】
より詳細には、制御部３０は、モーター駆動回路３１を制御して、搬送モーター３３を駆動し、搬送ローラー１４１、１４２、１４３を回転させて、搬送ロール紙Ｒ２を搬送方向Ｈに搬送する。搬送ロール紙Ｒ２の搬送中、制御部３０は、ブラックマークセンサー１８１からの入力に基づいて、搬送ロール紙Ｒ２の位置を管理する。画像を記録する場合、制御部３０は、モーター駆動回路３１を制御して、シール部Ｒ４の画像を記録する領域が、記録ヘッド１０の記録位置に位置するように、搬送ロール紙Ｒ２の搬送を停止する。次いで、制御部３０は、モーター駆動回路３１を制御して、キャリッジ移動モーター３２を駆動し、キャリッジ２０を走査方向Ｙにおける一方向に移動させる。キャリッジ２０の移動中、制御部３０は、画像バッファーに展開した画像データに基づいて、ヘッド駆動回路３５を制御して、記録ヘッド１０を駆動し、適切なタイミングで適切なノズルからインクを吐出してドットを形成する。これにより、シール部Ｒ４に、所定の色のドットが形成され、画像が記録される。
制御部３０は、記録ヘッド１０の記録位置にシール部Ｒ４の画像を記録する領域を位置させる搬送、キャリッジ２０の走査方向Ｙへの移動、及び、キャリッジ２０の移動に伴う記録ヘッド１０の駆動を繰り返し行って、シール部Ｒ４に連続して画像を記録する。
制御部３０は、適宜、制御データに含まれる、ロール紙Ｒの切断を指示するカットコマンドに基づいて、カッター駆動モーター３４を制御して、可動刃２３を移動させ、ロール紙Ｒの切断を実行する。ロール紙Ｒは、シール部Ｒ４と、シール部Ｒ４との間隙で、切断される。
【００５９】
ところで、記録装置１にロール紙Ｒが収容された場合、記録装置１、及び、ホストコンピューター３に、収容されたロール紙Ｒに関する設定（以下、「記録媒体に関する設定」という。）を行う必要がある。記録媒体に関する設定とは、ロール紙Ｒに関する複数の設定項目（以下、「媒体設定項目」という。）に設定値をセットすることである。
記録装置１の記憶部３９には、設定ファイル３９１が記憶される。設定ファイル３９１には、媒体設定項目と、設定値との組み合わせが記録される。記録装置１に対する記録媒体に関する設定とは、具体的には、設定ファイル３９１に記録された媒体設定項目に対して、収容したロール紙Ｒに対応する設定値をセットすることである。
また、ホストコンピューター３の制御装置記憶部５３は、制御用設定ファイル５３１が記憶される。制御用設定ファイル５３１には、媒体設定項目と、設定値との組み合わせが記録される。ホストコンピューター３に対する記録媒体に関する設定とは、具体的には、制御用設定ファイル５３１に記録された媒体設定項目に対して、記録装置１に収容したロール紙Ｒに対応する設定値をセットすることである。
【００６０】
本実施形態では、媒体設定項目として、ロール紙Ｒの種類（以下、「用紙種類」という。）を示す媒体設定項目「用紙種類」がある。媒体設定項目「用紙種類」には、設定値として、設定値「普通紙」、設定値「合成紙」、設定値「マット紙」、設定値「光沢紙」、又は、設定値「リストバンド」のいずれかがセットされる。
【００６１】
また、媒体設定項目として、ロール紙Ｒの形態（以下、「用紙形態」という。）を示す媒体設定項目「用紙形態」がある。媒体設定項目「用紙形態」には、設定値として、設定値「カットラベル（ギャップ基準）」、設定値「カットラベル（ブラックマーク基準）」、設定値「全面ラベル」、又は、設定値「連続紙」のいずれかがセットされる。
なお、設定値「カットラベル（ギャップ基準）」は、図２（Ｂ）で例示したロール紙Ｒのように、ギャップ部ＧＰが形成されたロール紙Ｒが記録装置１に収容される場合に、媒体設定項目「用紙形態」にセットされる設定値である。当該設定値がセットされる場合、制御部３０は、ギャップセンサー１８２からの入力に基づいて、ロール紙Ｒの位置を管理する。
【００６２】
また、設定値「カットラベル（ブラックマーク基準）」は、図２（Ａ）で例示したロール紙Ｒのように、ブラックマークＢＭが設けられたロール紙が記録装置１に収容される場合に、媒体設定項目「用紙形態」にセットされる設定である。当該設定値がセットされる場合、制御部３０は、ブラックマークセンサー１８１からの入力に基づいて、ロール紙Ｒの位置を管理する。
【００６３】
また、媒体設定項目として、ロール紙Ｒの短手方向の長さ（以下、「用紙幅」という。）を示す媒体設定項目「用紙幅」がある。媒体設定項目「用紙幅」には、設定値として、３０ｍｍ〜１２０ｍｍの範囲で、用紙幅の値がセットされる。
【００６４】
また、媒体設定項目として、ロール紙Ｒがカットラベルの場合に設定値がセットされる項目であって、ロール紙Ｒを構成するラベルの長手方向の長さ（以下、「用紙長さ」という。）を示す媒体設定項目「用紙長さ」がある。図２（Ａ）の例では、長さＬ１が、用紙長さに相当する。また、図２（Ｂ）の例では、長さＬ２が、用紙長さに該当する。媒体設定項目「用紙長さ」には、設定値として、１５ｍｍ〜１１１７ｍｍの範囲で、用紙長さの値がセットされる。
【００６５】
また、媒体設定項目として、ロール紙Ｒがカットラベルの場合に設定値がセットされる項目であって、ラベルにおいて画像の記録が可能な領域（ドットの形成が可能な領域）の端手方向の長さ（以下、「記録幅」という。）を示す媒体設定項目「記録幅」がある。図２（Ａ）の例では、長さＬ３が、記録幅に相当する。また、図２（Ｂ）の例では、長さＬ４が、記録幅に相当する。媒体設定項目「記録幅」には、設定値として、２５ｍｍ〜１０８ｍｍの範囲で、記録幅の値がセットされる。
【００６６】
また、媒体設定項目として、ロール紙Ｒがカットラベルの場合に設定値がセットされる項目であって、ラベルにおいて画像の記録が可能な領域（ドットの形成が可能な領域）の長手方向の長さ（以下、「記録長さ」という。）を示す媒体設定項目「記録長さ」がある。図２（Ａ）の例では、長さＬ５が、記録長さに相当する。また、図２（Ｂ）の例では、長さＬ６が、記録長さに相当する。媒体設定項目「記録長さ」には、設定値として、１５ｍｍ〜１１１７ｍｍの範囲で、記録長さの値がセットされる。
【００６７】
また、媒体設定項目として、ロール紙Ｒが図２（Ａ）で例示したロール紙Ｒのように間隔をあけてシール部Ｒ４が設けられた用紙の場合に設定値がセットされる項目であって、シール部Ｒ４とシール部Ｒ４との間隙の長さ（以下、「ラベル間ギャップ」という。）を示す媒体設定項目「ラベル間ギャップ」がある。媒体設定項目「ラベル間ギャップ」には、設定値として、３ｍｍ〜６ｍｍの範囲で、ラベル間ギャップの値がセットされる。
【００６８】
また、媒体設定項目として、ロール紙Ｒが図２（Ａ）で例示したロール紙Ｒのように間隔をあけてブラックマークＢＭが形成された用紙の場合に設定値がセットされる項目であって、隣接するブラックマークＢＭの離間距離（以下、「ブラックマーク間隔」という。）を示す媒体設定項目「ブラックマーク間隔」がある。媒体設定項目「ブラックマーク間隔」には、設定値として、１５ｍｍ〜１１１７ｍｍの範囲で、ブラックマーク間隔の値がセットされる。
【００６９】
以上、媒体設定項目を例示したが、媒体設定項目は例示したものに限らず、記録装置１が収容する記録媒体に関する設定項目であればどのようなものであってもよい。
【００７０】
記録装置１の制御部３０は、設定ファイル３９１に記録された媒体設定項目と、設定値との組み合わせに基づいて、記録装置１に収納されたロール紙Ｒの用紙種類や、用紙形態、ラベルのサイズ、ラベルにおける記録領域の位置等を認識し、ロール紙Ｒに対応する処理を実行する。例えば、制御部３０は、用紙種類や、用紙形態に応じた搬送方法でロール紙Ｒを搬送し、また、用紙幅や用紙幅、記録幅、記録長さに基づいて、ラベルにおける画像を記録する領域を判定し、また、ブラックマーク間隔に基づいてブラックマークセンサー１８からの入力に基づくロール紙Ｒの位置の管理を実行する。
【００７１】
また、ホストコンピューター３の制御装置制御部５０は、制御用設定ファイル５３１に記録された媒体設定項目と、設定値との組み合わせに基づいて、記録装置１に収容されたロール紙Ｒの用紙種類や、用紙形態、ラベルのサイズ、ラベルにおける記録領域の位置等を認識し、当該認識に基づいて記録装置１を制御する。例えば、制御装置制御部５０は、制御データの生成に際し、用紙種類や、用紙形態、ラベルのサイズ、ラベルにおける記録領域の位置等を反映した制御データを生成する。
【００７２】
また、記録装置１によるロール紙Ｒへの記録を開始する前に、記録装置１、及び、ホストコンピューター３に、記録動作に関する設定を行う必要がある。記録動作に関する設定とは、記録動作に関する複数の設定項目（以下、「動作設定項目」という。）に設定値をセットすることである。動作設定項目と、設定値との組み合わせは、記録装置１の設定ファイル３９１、及び、ホストコンピューター３の制御用設定ファイル５３１に記録される。
【００７３】
本実施形態では、動作設定項目として、記録を行うときの速さの度合い（以下、「記録速度」という。）を示す動作設定項目「記録速度」がある。動作設定項目「記録速度」には、設定値として、最も速い記録速度を示す設定値「高速」、次に速い記録速度を示す設定値「中速」、又は、最も遅い記録速度を示す設定値「低速」のいずれかがセットされる。
【００７４】
また、動作設定項目として、記録を行う画像の濃度の度合い（以下、「記録濃度」という。）を示す動作設定項目「記録濃度」がある。動作設定項目「記録濃度」には、設定値として、最も濃い記録濃度を示す設定値「高濃度」、次に濃い記録濃度を示す設定値「中濃度」、又は、最も薄い記録濃度を示す設定値「低濃度」のいずれかがセットされる。
【００７５】
また、動作設定項目として、記録の実行中にフラッシングを行う頻度（以下、「フラッシング頻度」という。）を示す動作設定項目「フラッシング頻度」がある。動作設定項目「フラッシング頻度」には、設定値として、高い頻度でフラッシングを行うことを示す設定値「高頻度」、又は、低い頻度でフラッシングを行うことを示す設定値「低頻度」のいずれかがセットされる。
【００７６】
以上、動作設定項目を例示したが、動作設定項目は例示したものに限らない。すなわち、記録装置１の記録動作に関する設定項目であれば何でもよい。
【００７７】
記録装置１の制御部３０は、設定ファイル３９１に記録された動作設定項目と、設定値との組み合わせに基づいて、ロール紙Ｒへの記録を実行する。例えば、制御部３０は、動作設定項目「記録速度」にセットされた設定値が示す記録速度で、ロール紙Ｒへの記録を実行する。
【００７８】
また、ホストコンピューター３の制御装置制御部５０は、制御用設定ファイル５３１に記録された動作設定項目と、設定値との組み合わせに基づいて、記録装置１を制御する。例えば、制御装置制御部５０は、制御データの生成に際し、動作設定項目「記録速度」に設定された設定値が示す記録速度に対応した制御データを生成する。
【００７９】
以上のように、ロール紙Ｒを記録装置１に収容した場合、記録装置１、及び、ホストコンピューター３に、収容したロール紙Ｒに対応した記録媒体に関する設定を行う必要がある。そして、記録媒体に関する設定に誤りがある場合、換言すれば、いずれかの媒体設定項目に対して誤った設定値がセットされた場合、想定した位置と異なる位置に画像が記録される等のエラーが発生する可能性がある。従って、記録媒体に関する設定は、収容したロール紙Ｒに即して、正確に行われなければならない。
また、ロール紙Ｒの用紙種類や、用紙形態によって、適切な記録速度や、記録濃度、フラッシング頻度は異なる。一方で、専門的な知識を有さない者にとっては、記録装置１にロール紙Ｒを収容したときに、収容したロール紙Ｒに適した記録動作に関する設定を行うことは困難であった。
以上を踏まえ、記録装置１へのロール紙Ｒの収容に際し、記録装置１、及び、ホストコンピューター３は、以下の処理を実行する。
【００８０】
図４は、記録装置１に新たにロール紙Ｒを収容する場合の、記録装置１、及び、ホストコンピューター３の動作を示すフローチャートであり、（Ａ）は記録装置１の動作を、（Ｂ）はホストコンピューター３の動作を示す。
【００８１】
図４（Ａ）のフローチャートの前に、ユーザーにより、以下の処理が行われる。
すなわち、ユーザーは、記録装置１にロール紙Ｒを収容する。ユーザーは、記録装置１にロール紙Ｒを収容する際、カバー開閉スイッチ３６１を操作して、カバー２６を開状態とした後、所定の方法で、ロール紙収容部１１にロール体Ｒ１を収容し、ロール体Ｒ１から繰り出される搬送ロール紙Ｒ２を、搬送経路１３に沿って延在させる。
【００８２】
ここで、図２（Ａ）に示すように、ロール紙Ｒにおいて、先頭のシール部Ｒ４を起点として、数個目（例えば、５つ目）のシール部Ｒ４には、バーコード（以下、「設定情報バーコード」という。）が事前に記録される。設定情報バーコードが示す情報については、後述する。なお、図２（Ａ）に示すタイプのロール紙Ｒ以外のタイプのロール紙Ｒにも、所定の位置に、記録媒体情報コードが記録される。例えば、図２（Ｂ）に示すタイプのロール紙Ｒでは、先頭のラベルを起点として、数個目（例えば、５つ目）のラベルに形成された記録領域Ａ１に、設定情報バーコードが事前に記録される。
【００８３】
そして、ユーザーは、記録装置１にロール紙Ｒを収容する際、設定情報バーコードが、バーコードリーダー１６の読取位置よりも、搬送方向Ｈの上流側に位置した状態とする。
その後、ユーザーは、カバー開閉スイッチ３６１を操作して、カバー２６を閉状態とする。
【００８４】
図４（Ａ）に示すように、記録装置１の制御部３０は、バーコード読取処理（後述）の実行が指示されたか否かを監視する（ステップＳＡ１）。バーコード読取処理の実行の指示は、記録装置１の筐体に設けられた操作スイッチが所定の態様で操作されることにより行われる。ユーザーは、記録装置１にロール紙Ｒを収容した後、記録装置１による記録が実行される前に、操作スイッチを所定の態様で操作して、バーコード読取処理の実行を指示する。
【００８５】
バーコード読取処理の実行が指示された場合（ステップＳＡ１：ＹＥＳ）、制御部３０は、バーコード読取処理を実行する（ステップＳＡ２）。
【００８６】
詳述すると、制御部３０は、モーター駆動回路３１を制御して、搬送ローラー１４１、１４２、１４３を回転させて、搬送ロール紙Ｒ２を搬送方向Ｈに搬送させる。搬送ロール紙Ｒ２の搬送中、制御部３０は、バーコードリーダー１６を制御して、バーコードリーダー１６の動作モードを読取待ちモードとする。動作モードが読取待ちモードの場合、バーコードリーダー１６は、読取位置にバーコードが位置したときに、自動でバーコードの読み取りを実行する。
搬送ロール紙Ｒ２の搬送に応じて、バーコードリーダー１６の読取位置に、設定情報バーコードが位置すると、バーコードリーダー１６により設定情報バーコードの読み取りが実行される。なお、ユーザーは、ロール紙Ｒを収容するときに、設定情報バーコードを、バーコードリーダー１６の読取位置の搬送方向Ｈの上流側に位置させる。このため、搬送ロール紙Ｒ２の搬送方向Ｈへの搬送が進むと、設定情報バーコードが、バーコードリーダー１６の読取位置に位置する。
バーコードリーダー１６は、設定情報バーコードを読み取った場合、設定情報バーコードの読取結果を示す情報（後述するように２４桁の数値）を、制御部３０に出力する。
制御部３０は、バーコードリーダー１６から読み取り結果を示す情報の入力があった場合、モーター駆動回路３１を制御して、搬送ローラー１４１、１４２、１４３の回転を停止し、搬送ロール紙Ｒ２の搬送を停止し、バーコード読取処理を終了する。
【００８７】
なお、設定情報バーコードが記録されないロール紙Ｒが収容された状態で、バーコード読取処理の実行が指示される場合がある。また、設定情報バーコードがバーコードリーダー１６の読取位置の搬送方向Ｈの下流に位置した状態で、バーコード読取処理の実行が指示される場合がある。また、バーコードリーダー１６による読み取りが正常に実行されない場合がある。これらの場合を踏まえ、制御部３０は、所定距離以上、搬送ロール紙Ｒ２を搬送させても、バーコードリーダー１６による設定情報バーコードの読み取りが行われなかった場合は、バーコード読取処理の実行を停止し、対応する処理を実行する。対応する処理として、例えば、制御部３０は、報知部３７を制御して、その旨、報知する。
【００８８】
バーコード読取処理の実行後、制御部３０は、バーコードリーダー１６から入力された読取結果を示す情報に基づいて、媒体設定情報、及び、動作設定情報を取得する（ステップＳＡ３）。
以下、バーコードリーダー１６から入力された読取結果を示す情報、つまり、設定情報バーコードに記録される情報について説明し、媒体設定情報、及び、動作設定情報について説明する。
【００８９】
図５（Ａ）は、設定情報バーコードに記録される情報（以下、「バーコード情報」という。）の一例を示す図であり、図５（Ｂ）は、バーコード情報の説明に利用する図である。
図５（Ａ）に示すように、バーコード情報は、２４桁の数値である。バーコード情報は、設定情報バーコードが記録されたロール紙Ｒの記録媒体に関する情報、及び、推奨される記録動作に関する情報を示す情報である。以下、詳述する。
【００９０】
図５（Ｂ）に示すように、バーコード情報の１桁目の数値は、ロール紙Ｒの用紙種類を示す。具体的には、「０」はロール紙Ｒの用紙種類が普通紙であることを示し、「１」はロール紙Ｒの用紙種類が合成紙であることを示し、「２」はロール紙Ｒの用紙種類がマット紙であることを示し、「３」はロール紙Ｒの用紙種類が光沢紙であることを示し、「４」はロール紙Ｒの用紙種類がリストバンドであることを示す。図５（Ａ）で例示するように、バーコード情報の１桁目の数値が「０」である場合、ロール紙Ｒの用紙種類は普通紙であるので、上述した媒体設定項目「用紙種類」には、設定値として、設定値「普通紙」がセットされる必要がある。
【００９１】
図５（Ｂ）に示すように、バーコード情報の２桁目の数値は、ロール紙Ｒの用紙形態を示す。具体的には、「０」はロール紙Ｒの用紙形態がカットラベル（ギャップ基準）であることを示し、「１」はロール紙Ｒの用紙形態がカットラベル（ブラックマーク基準）であることを示し、「２」はロール紙Ｒの用紙形態が全面ラベルであることを示し、「３」はロール紙Ｒの用紙形態が連続紙であることを示す。図５（Ａ）で例示するように、バーコード情報の２桁目の数値が「１」である場合、ロール紙Ｒの用紙形態はカットラベル（ブラックマーク基準）であるので、上述した媒体設定項目「用紙形態」には、設定値として、設定値「カットラベル（ブラックマーク基準）」がセットされる必要がある。
【００９２】
図５（Ｂ）に示すように、バーコード情報の３−５桁目の数値は、ロール紙Ｒの用紙幅を示す。より詳細には、バーコード情報の３桁目の数値は用紙幅の値の百の位の数値を示し、４桁目の数値は用紙幅の値の十の位の数値を示し、５桁目の数値は用紙幅の値の一の位の数値を示す。図５（Ａ）で例示するように、バーコード情報の３−５桁目の数値が「０８０」である場合、ロール紙Ｒの用紙幅は、「８０ｍｍ」であるので、上述した媒体設定項目「用紙幅」には、設定値「８０ｍｍ」がセットされる必要がある。
【００９３】
図５（Ｂ）に示すように、バーコード情報の６−９桁目の数値は、ロール紙Ｒの用紙長さを示す。より詳細には、バーコード情報の６桁目の数値は用紙長さの値の千の位の数値を示し、７桁目の数値は用紙長さの値の百の位の数値を示し、８桁目の数値は用紙長さの値の十の位の数値を示し、９桁目の数値は用紙長さの値の一の位の数値を示す。図５（Ａ）で例示するように、バーコード情報の６−９桁目の数値が「０９００」である場合、ロール紙Ｒの用紙長さは、「９００ｍｍ」であるので、上述した媒体設定項目「用紙長さ」には、設定値「９００ｍｍ」がセットされる必要がある。
なお、ロール紙Ｒがカットラベルではない場合、バーコード情報の６−９桁目には、ヌルデータを表す「００００」がセットされる。
【００９４】
図５（Ｂ）に示すように、バーコード情報の１０−１２桁目の数値は、ロール紙Ｒの記録幅を示す。より詳細には、バーコード情報の１０桁目の数値は記録幅の値の百の位の数値を示し、１１桁目の数値は記録幅の値の十の位の数値を示し、１２桁目の数値は記録幅の値の一の位の数値を示す。図５（Ａ）で例示するように、バーコード情報の１０−１２桁目の数値が「０７０」である場合、ロール紙Ｒの記録幅は、「７０ｍｍ」であるので、上述した媒体設定項目「記録幅」には、設定値「７０ｍｍ」がセットされる必要がある。
なお、ロール紙Ｒがカットラベルではない場合、バーコード情報の１０−１２桁目には、ヌルデータを表す「０００」がセットされる。
【００９５】
図５（Ｂ）に示すように、バーコード情報の１３−１６桁目の数値は、ロール紙Ｒの記録長さを示す。より詳細には、バーコード情報の１３桁目の数値は記録長さの値の千の位の数値を示し、１４桁目の数値は記録長さの値の百の位の数値を示し、１５桁目の数値は記録長さの値の十の位の数値を示し、１６桁目の数値は記録長さの値の一の位の数値を示す。図５（Ａ）で例示するように、バーコード情報の１３−１６桁目の数値が「０８５０」である場合、ロール紙Ｒの用紙長さは、「８００ｍｍ」であるので、上述した媒体設定項目「記録長さ」には、設定値「８００ｍｍ」がセットされる必要がある。
なお、ロール紙Ｒがカットラベルではない場合、バーコード情報の１３−１６桁目には、ヌルデータを表す「００００」がセットされる。
【００９６】
図５（Ｂ）に示すように、バーコード情報の１７桁目の数値は、ロール紙Ｒのラベル間ギャップを示す。図５（Ａ）で例示するように、バーコード情報の１７桁目の数値が「５」である場合、ロール紙Ｒのラベル間ギャップは、「５ｍｍ」であるので、上述した媒体設定項目「ラベル間ギャップ」には、設定値「５ｍｍ」がセットされる必要がある。
なお、ロール紙Ｒが、図２（Ａ）で例示したロール紙Ｒのように間隔をあけてシール部Ｒ４が設けられた用紙ではない場合、バーコード情報の１７桁目には、ヌルデータを表す「０」がセットされる。
【００９７】
図５（Ｂ）に示すように、バーコード情報の１８−２１桁目の数値は、ロール紙Ｒのブラックマーク間隔を示す。より詳細には、バーコード情報の１８桁目の数値はブラックマーク間隔の値の千の位の数値を示し、１９桁目の数値はブラックマーク間隔の値の百の位の数値を示し、２０桁目の数値はブラックマーク間隔の値の十の位の数値を示し、２１桁目の数値はブラックマーク間隔の一の位の数値を示す。図５（Ａ）で例示するように、バーコード情報の１８−２１桁目の数値が「０９００」である場合、ロール紙Ｒのブラックマーク間隔は、「９００ｍｍ」であるので、上述した媒体設定項目「ブラックマーク間隔」には、設定値「９００ｍｍ」がセットされる必要がある。
なお、ロール紙Ｒが、図２（Ａ）で例示したロール紙Ｒのように間隔をあけてブラックマークＢＭが形成された用紙ではない場合、バーコード情報の１８−２１桁目には、ヌルデータを表す「００００」がセットされる。
【００９８】
図５（Ｂ）に示すように、バーコード情報の２２桁目の数値は、設定情報バーコードが記録されたロール紙Ｒが記録装置１に収容される場合に、推奨される記録速度を示す。具体的には、「０」は推奨される記録速度が「高速」であることを示し、「１」は推奨される記録速度が「中速」であることを示し、「２」は推奨される記録速度が「低速」であることを示す。図５（Ａ）で例示するように、バーコード情報の２２桁目の数値が「１」である場合、推奨される記録速度は「中速」であるので、上述した動作設定項目「記録速度」には、設定値として、設定値「中速」がセットされることが推奨される。
【００９９】
図５（Ｂ）に示すように、バーコード情報の２３桁目の数値は、設定情報バーコードが記録されたロール紙Ｒが記録装置１に収容される場合に、推奨される記録濃度を示す。具体的には、「０」は推奨される記録濃度が「高濃度」であることを示し、「１」は推奨される記録濃度が「中濃度」であることを示し、「２」は推奨される記録濃度が「低濃度」であることを示す。図５（Ａ）で例示するように、バーコード情報の２３桁目の数値が「２」である場合、推奨される記録速度は「低濃度」であるので、上述した動作設定項目「記録濃度」には、設定値として、設定値「低濃度」がセットされることが推奨される。
【０１００】
図５（Ｂ）に示すように、バーコード情報の２４桁目の数値は、設定情報バーコードが記録されたロール紙Ｒが記録装置１に収容される場合に、推奨されるフラッシング頻度を示す。具体的には、「０」は推奨されるフラッシング頻度が「高頻度」であることを示し、「１」は推奨されるフラッシング頻度が「低頻度」であることを示す。図５（Ａ）で例示するように、バーコード情報の２４桁目の数値が「０」である場合、推奨されるフラッシング頻度は「高頻度」であるので、上述した動作設定項目「フラッシング頻度」には、設定値として、設定値「高頻度」がセットされることが推奨される。
【０１０１】
ステップＳＡ３において、制御部３０は、バーコードリーダー１６から入力されたバーコード情報の１-２１桁目の数値に基づいて、媒体設定情報を取得する。媒体設定情報とは、媒体設定項目と、ロール紙Ｒに対応した設定値との組み合わせである。例えば、バーコード情報が図５（Ａ）に例示する情報である場合、制御部３０は、バーコード情報の１桁目の数値に基づいて、媒体設定情報として、媒体設定項目「用紙種類」と、ロール紙Ｒに対応した設定値である設定値「普通紙」との組み合わせを取得する。また例えば、バーコード情報が図５（Ａ）に例示する情報である場合、制御部３０は、バーコード情報の２桁目の数値に基づいて、媒体設定情報として、媒体設定項目「用紙形態」と、ロール紙Ｒに対応した設定値である設定値「カットラベル（ブラックマーク基準）」との組み合わせを取得する。
【０１０２】
また、ステップＳＡ３において、制御部３０は、バーコードリーダー１６から入力されたバーコード情報の２２−２４桁目の数値に基づいて、動作設定情報を取得する。動作設定情報とは、媒体設定項目と、ロール紙Ｒに対応した推奨される設定値との組み合わせである。例えば、バーコード情報が図５（Ａ）に例示する情報である場合、制御部３０は、バーコード情報の２２桁目の数値に基づいて、動作設定情報として、動作設定項目「記録速度」と、ロール紙Ｒに対応した推奨される設定値である設定値「中速」との組み合わせを取得する。また例えば、バーコード情報が図５（Ａ）に例示する情報である場合、制御部３０は、バーコード情報の２３桁目の数値に基づいて、動作設定情報として、動作設定項目「記録濃度」と、ロール紙Ｒに対応した推奨される設定値である設定値「低濃度」との組み合わせを取得する。
【０１０３】
次いで、制御部３０は、ステップＳＡ３で取得した媒体設定情報に基づいて、設定ファイル３９１の媒体設定項目に設定値をセットする（ステップＳＡ４）。
ステップＳＡ４において、制御部３０は、媒体設定情報における媒体設定項目と設定値との組み合わせと、設定ファイル３９１における媒体設定項目と設定値との組み合わせとが一致するように、設定ファイル３９１の内容を書き換える。
【０１０４】
次いで、制御部３０は、ステップＳＡ３で取得した動作設定情報に基づいて、設定ファイル３９１の動作設定項目に設定値をセットする（ステップＳＡ５）。
ステップＳＡ５において、制御部３０は、動作設定情報における動作設定項目と設定値との組み合わせと、設定ファイル３９１における動作設定項目と設定値との組み合わせとが一致するように、設定ファイル３９１の内容を書き換える。
【０１０５】
次いで、制御部３０は、報知部３７を制御して、媒体設定項目への設定値のセット、及び、動作設定項目への設定値のセットが完了したことを報知する（ステップＳＡ６）。報知は、ＬＥＤ部３７１のＬＥＤの駆動により行われてもよく、表示部３７２の表示により行われてもよい。このほか、記録装置１が音声を出力する機能を有する場合は、音声出力により行われてもよい。
【０１０６】
次いで、制御部３０は、切り離し処理を実行する（ステップＳＡ７）。
詳述すると、制御部３０は、設定情報バーコードが記録されたシール部Ｒ４と、このシール部Ｒ４の搬送方向Ｈの上流側のシール部Ｒ４との間隙の被切断位置（図２（Ａ）参照）が、カッターユニット２１の切断位置に位置するように、搬送ロール紙Ｒ２を搬送方向Ｈに搬送する。次いで、制御部３０は、モーター駆動回路３１を制御して、可動刃２３を移動させ、ロール紙Ｒの切断を実行する。
ステップＳＡ７の切り離し処理により、設定情報バーコードが記録されたシール部Ｒ４を有するラベルが、搬送ロール紙Ｒ２から切り離される。これにより、設定情報バーコードが記録されたシール部Ｒ４に、画像が記録される事態が発生することが防止される。
【０１０７】
なお、本実施形態では、ステップＳＡ７で、設定情報バーコードが記録されたシール部Ｒ４を有するラベルを、搬送ロール紙Ｒ２から切り離していた。ただし、必ずしも、切り離す必要はなく、制御部３０は、少なくとも、設定情報バーコードが、記録ヘッド１０の記録位置よりも搬送方向Ｈの下流側に位置するように、搬送ロール紙Ｒ２を搬送すればよい。これにより、設定情報バーコードが記録されたシール部Ｒ４に、画像が記録される事態が発生することを防止できる。
【０１０８】
次いで、制御部３０は、通信部３８を制御して、ステップＳＡ３で取得した媒体設定情報、及び、動作設定情報をホストコンピューター３に送信する（ステップＳＡ８）。
【０１０９】
図４（Ｂ）に示すように、ホストコンピューター３の制御装置制御部５０は、制御装置通信部５４を制御して、媒体設定情報、及び、動作設定情報を受信する（ステップＳＢ１）。
【０１１０】
次いで、制御装置制御部５０は、受信した媒体設定情報に基づいて、制御用設定ファイル５３１の媒体設定項目に設定値をセットする（ステップＳＢ２）。
ステップＳＢ２において、制御装置制御部５０は、媒体設定情報における媒体設定項目と設定値との組み合わせと、制御用設定ファイル５３１における媒体設定項目と設定値との組み合わせとが一致するように、制御用設定ファイル５３１の内容を書き換える。
【０１１１】
次いで、制御装置制御部５０は、受信した動作設定情報に基づいて、制御用設定ファイル５３１の動作設定項目に設定値を設定する（ステップＳＢ３）。
ステップＳＢ３において、制御装置制御部５０は、動作設定情報における動作設定項目と設定値との組み合わせと、制御用設定ファイル５３１における動作設定項目と設定値との組み合わせとが一致するように、制御用設定ファイル５３１の内容を書き換える。
【０１１２】
以上のように、本実施形態では、セットされるロール紙Ｒに設定情報コードが事前に記録される。また、記録装置１は、設定情報コードを読み取るバーコードリーダー１６を備える。そして、記録装置１は、ロール紙Ｒの設定情報コードをバーコードリーダー１６により読み取る。記録装置１は、読取結果に基づいて、バーコード情報を取得し、取得したバーコード情報に基づく媒体設定情報及び動作設定情報に基づいて、記録媒体に関する設定、及び、記録動作に関する設定を実行する。また、記録装置１は、媒体設定情報、及び、動作設定情報をホストコンピューター３に送信する。ホストコンピューター３は、受信した媒体設定情報、及び、動作設定情報に基づいて、記録媒体に関する設定、及び、記録動作に関する設定を実行する。
このような構成のため、ユーザーが、記録媒体に関する設定を手動で行う場合に起こり得る設定の誤りが発生せず、設定される媒体設定項目と設定値との組み合わせを、記録装置１が収納するロール紙Ｒに対応した正確なものとすることができる。
また、上記構成のため、ロール紙Ｒを記録装置１に収容したときに、記録装置１及びホストコンピューターの記録動作に関する設定が、自動で、収容したロール紙Ｒを記録する場合に推奨される設定となる。従って、専門知識を有さないユーザーは、自ら、記録動作に関する設定を行う必要がなく、ユーザーの利便性が向上する。
また、上記構成のため、ユーザーは、記録媒体に関する設定、及び、記録動作に関する設定を、手動で行う必要がなく、ユーザーの作業負担が軽減する。
【０１１３】
次に、記録装置１に収容されたロール紙Ｒを交換する場合の記録装置１の動作について説明する。
図６は、ロール紙Ｒの交換時の記録装置１の動作を示すフローチャートである。
図６に示すように、記録装置１の制御部３０は、交換が開始されるか否かを監視する（ステップＳＣ１）。ロール紙Ｒが交換される場合、ユーザーによりカバー２６が開状態とされるので、制御部３０は、ロール紙Ｒが収容された状態で、カバー開閉スイッチ３６１が操作されてカバー２６を開状態とすることが指示された場合、交換が開始されると判別する。なお、交換の開始を検出する方法は、例示した方法に限らない。例えば、交換前に、ユーザーが操作スイッチを所定の態様で操作して、交換を行うことを通知する構成とし、当該所定の態様で操作スイッチの操作が行われた場合に、制御部３０が、交換が開始されると判別してもよい。
【０１１４】
交換が開始される場合（ステップＳＣ１：ＹＥＳ）、制御部３０は、記憶部３９が記憶する設定ファイル３９１を参照し、媒体設定情報を取得する（ステップＳＣ２）。上述したように、媒体設定情報とは、媒体設定項目と、設定値との組み合わせである。
【０１１５】
次いで、制御部３０は、設定ファイル３９１を参照し、動作設定情報を取得する（ステップＳＣ３）。上述したように、動作設定情報とは、動作設定項目と、設定値との組み合わせである。
ここで、上述したように、ロール紙Ｒを収容した場合、動作設定項目に、推奨される設定値がセットされる。しかしながら、その後、ユーザーが、動作設定項目の設定値を変更する場合がある。ステップＳＣ３では、制御部３０は、動作設定情報として、ステップＳＣ３の処理が実行される時点の動作設定項目と、設定値との組み合わせを取得する。従って、ロール紙Ｒの収容後に、ユーザーによる設定値の変更があった場合は、制御部３０は、動作設定情報として、動作設定項目と変更後の設定値との組み合わせを取得する。
【０１１６】
次いで、制御部３０は、ステップＳＣ２で取得した媒体設定情報、及び、ステップＳＣ３で取得した動作設定情報に基づいて、上述した２４桁の数値からなるバーコード情報を生成する（ステップＳＣ４）。ステップＳＣ４で、制御部３０はバーコード情報の各桁の数値を、媒体設定情報、及び、動作設定情報に応じた数値とする。
【０１１７】
次いで、制御部３０は、ステップＳＣ４で生成したバーコード情報を示す設定情報バーコードを、シール部Ｒ４に記録する（ステップＳＣ５）。
詳述すると、制御部３０は、所定のシール部Ｒ４が、記録ヘッド１０の記録位置に位置するように、搬送ロール紙Ｒ２を搬送方向Ｈに搬送する。所定のシール部Ｒ４は、例えば、搬送ロール紙Ｒ２の先頭のシール部Ｒ４を起点として、数個目（例えば、５つ目）のシール部Ｒ４とされる。これは、交換に伴って、ロール紙Ｒが記録装置１から取り出された後、改めて収容される場合に、設定情報バーコードが記録されたシール部Ｒ４を、バーコードリーダー１６の読取位置の搬送方向Ｈの上流側に位置させることができるようにする目的である。
次いで、制御部３０は、バーコード情報に基づいて、設定情報バーコードの画像データを生成し、画像バッファーに展開する。なお、制御部３０は、数値に基づいて、数値を示すバーコードの画像データを生成する機能を有する。
次いで、制御部３０は、画像バッファーに展開した画像データに基づいて、モーター駆動回路３１、及び、ヘッド駆動回路３５を制御して、キャリッジ２０を移動し、記録ヘッド１０を駆動して、シール部Ｒ４に設定情報バーコードを記録する。
【０１１８】
次いで、制御部３０は、カバー開閉機構２８を制御して、カバー２６を開状態とする（ステップＳＣ６）。
このステップＳＣ６の処理により、カバー２６が開状態となってロール紙収容部１１が露出し、ロール紙Ｒの交換が可能となる。ロール紙収容部１１から取り出されたロール紙の所定のシール部Ｒ４には、設定情報バーコードが記録される。
【０１１９】
以上のように、記録装置１は、ロール紙Ｒの交換に伴って、記録装置１から取り出されるロール紙Ｒの所定のシール部Ｒ４に、設定情報バーコードを記録する。設定情報バーコードには、ロール紙Ｒに対応する媒体設定情報と、交換時の設定に対応する動作設定情報とが記録される。
この構成のため、ユーザーは、交換に伴って取り出したロール紙Ｒを、再び、記録装置１に収容する場合に、確実、かつ、簡易に、記録媒体に関する設定、及び、記録動作に関する設定を行うことができる。
詳述すると、ロール紙Ｒを再び記録装置１に収容する場合、ユーザーは、設定情報バーコードがバーコードリーダー１６の搬送方向Ｈの上流に位置するように、ロール紙Ｒを収容する。次いで、ユーザーは、バーコード読取処理の実行を指示する。このバーコード読取処理の実行をトリガーとして、図４（Ａ）のステップＳＡ３−ステップＳＡ８で説明した処理、及び、図４（Ｂ）のステップＳＢ１−ステップＳＢ３で説明した処理が行われる。その結果、記録装置１、及び、ホストコンピューター３に対して、自動で、記録媒体に関する設定、及び、記録動作に関する設定が行われる。このため、記録装置１、及び、ホストコンピューター３に対して、収容したロール紙Ｒに対応した正確な記録に関する設定を行うことができる。さらに、記録装置１、及び、ホストコンピューター３に対して、ロール紙Ｒを交換により取り出す前に設定されていた記録動作に関する設定を行うことができる。ここで、ロール紙Ｒを交換により取り出す前の設定は、ユーザーが行った変更を反映した設定であり、ユーザーが望む設定である可能性が高い。そして、本実施形態によれば、ユーザーが望む可能性が高い設定が自動で行われるため、その後、ユーザーが新たに設定の変更を行う必要が生じる可能性が低く、ユーザーの利便性が高い。
【０１２０】
以上説明したように、本実施形態に係る記録システム２ａは、記録装置１と、ホストコンピューター３（制御装置）と、を備える。記録装置１は、収容したロール紙Ｒ（記録媒体）に記録された、記録媒体に関する情報である媒体設定情報を示す設定情報バーコードを読み取るバーコードリーダー１６（読取部）と、ロール紙Ｒを搬送方向Ｈに搬送する搬送部（モーター駆動回路３１、搬送モーター３３、搬送ローラー１４１、１４２、１４３等）と、ロール紙Ｒに記録する記録ヘッド１０（記録部）と、バーコードリーダー１６の読取結果に基づいて媒体設定情報を取得し、取得した情報に基づいて記録媒体に関する設定を行い、媒体設定情報を送信する制御部３０と、を有する。ホストコンピューター３は、記録装置１で送信された媒体設定情報を受信し、受信した情報に基づいて記録媒体に関する設定を行う制御装置制御部５０を有する。
この構成によれば、バーコードリーダー１６の読取結果に基づいて、記録媒体に関する設定を、収納したロール紙Ｒに対応した正確なものとすることができる。さらに、ユーザーが、記録装置１、及び、ホストコンピューター３に対して、記録媒体に関する設定、及び、記録動作に関する設定を、手動で行う必要がなく、ユーザーの作業負担が軽減する。
【０１２１】
また、本実施形態では、バーコード情報には、記録動作に関する情報である動作設定情報が含まれる。そして、記録装置１の制御部３０は、バーコードリーダー１６の読取結果に基づいて動作設定情報を取得し、取得した情報に基づいて記録動作に関する設定を行い、動作設定情報を送信する。ホストコンピューター３の制御装置制御部５０は、記録装置１で送信された動作設定情報を受信し、受信した情報に基づいて、記録動作に関する設定を行う。
この構成によれば、バーコードリーダー１６の読取結果に基づいて、記録装置１、及び、ホストコンピューター３に、記録動作に関する設定を自動で行うことができる。このため、本実施形態のように、動作設定情報を、動作設定項目と、推奨される設定値とすることにより、記録装置１、及び、ホストコンピューター３に対して、自動で、推奨される記録動作に関する設定を行うことができる。
【０１２２】
また、本実施形態では、記録装置１の制御部３０は、記録媒体に関する設定が完了した場合、報知部３７を制御して、その旨、報知させる。
この構成によれば、ユーザーは、記録媒体に関する設定が完了したときに、そのことを認識できる。
【０１２３】
また、本実施形態では、記録装置１の制御部３０は、ロール紙Ｒの交換が開始されることを検出し、交換が行われる前に、搬送部及び記録ヘッド１０を制御して、収容したロール紙Ｒに、媒体設定情報を示す設定情報バーコードを記録させる。
この構成によれば、交換に伴って記録装置１から取り出したロール紙Ｒを、再び、記録装置１に収容する場合に、交換の際に記録した設定情報バーコードの読取結果に基づく媒体設定情報を利用して、記録装置１及びホストコンピューター３に自動で記録媒体に関する設定を行うことができる。
【０１２４】
また、本実施形態では、記録装置１の制御部３０は、交換が行われる前に、搬送部及び記録ヘッド１０を制御して、収容したロール紙Ｒに、現時点の記録動作に関する設定に基づく動作設定情報を示す設定情報バーコードを記録させる。
この構成によれば、交換に伴って記録装置１から取り出したロール紙Ｒを、再び、記録装置１に収容する場合に、交換の際に記録した設定情報バーコードの読取結果に基づく動作設定情報を利用して、記録装置１及びホストコンピューター３に自動で記録動作に関する設定を行うことができる。
【０１２５】
また、本実施形態では、記録装置１の制御部３０は、バーコードリーダー１６による設定情報バーコードの読み取りが完了した後、搬送部を制御して、少なくとも、設定情報バーコードが、記録ヘッド１０の記録位置よりも搬送方向Ｈの下流に位置するように、搬送ロール紙Ｒ２を搬送させる。
この構成によれば、設定情報バーコードに重ねて画像が記録されることを防止できる。
【０１２６】
また、本実施形態では、記録装置１の制御部３０は、指示があった場合（所定の場合）に、搬送部を制御して、設定情報バーコードがバーコードリーダー１６による読取位置に位置し、バーコードリーダー１６による設定情報バーコードの読み取りが行われるまで、搬送ロール紙Ｒ２を搬送方向Ｈに搬送する。
この構成によれば、ユーザーは、ロール紙Ｒの収納時に、記録装置１に、バーコードリーダー１６による設定情報バーコードの読み取りを実行させることができ、ユーザーの作業が少なく、ユーザーの利便性が向上する。
【０１２７】
＜第２実施形態＞
次に、第２実施形態について説明する。
上述した第１実施形態では、設定情報バーコードが示す情報は、媒体設定情報及び動作設定情報を含んでいた。
一方、第２実施形態では、設定情報バーコードが示す情報は、媒体設定情報及び動作設定情報に代えて、ロール紙Ｒを識別する識別情報である媒体ＩＤを含む。
媒体ＩＤは、ロール紙Ｒの種別に応じて一意に割り振られる識別情報である。ロール紙Ｒの種別とは、上述した用紙種類、用紙形態、用紙幅、用紙長さ、記録幅、記録長さ、ラベル間ギャップ、及び、ブラックマーク間隔（以下、これらを総称して「媒体情報」という。）の組み合わせに応じたロール紙Ｒの区別である。例えば、媒体情報が完全に一致する複数のロール紙Ｒには、同一の媒体ＩＤが割り振られる。また、いずれかの媒体情報に相違がある複数のロール紙Ｒには、それぞれ異なる媒体ＩＤが割り振られる。
【０１２８】
図７は、記録装置１に新たにロール紙Ｒを収容する場合の、第２実施形態に係る記録装置１、及び、ホストコンピューター３の動作を示すフローチャートであり、（Ａ）は記録装置１の動作を、（Ｂ）はホストコンピューター３の動作を示す。
【０１２９】
図７（Ａ）のフローチャートの前に、ユーザーにより、記録装置１へのロール紙Ｒの収容が行われる。その際、設定情報バーコードが、バーコードリーダー１６の読取位置よりも、搬送方向Ｈの上流側に位置した状態とされる。
【０１３０】
図７（Ａ）に示すように、記録装置１の制御部３０は、バーコード読取処理の実行が指示されたか否かを監視する（ステップＳＤ１）。
【０１３１】
バーコード読取処理の実行が指示された場合（ステップＳＡ１：ＹＥＳ）、制御部３０は、バーコード読取処理を実行する（ステップＳＤ２）。
【０１３２】
次いで、制御部３０は、バーコードリーダー１６から入力された読取結果を示す情報に基づいて、媒体ＩＤを取得する（ステップＳＤ３）。
【０１３３】
次いで、制御部３０は、記憶部３９が記憶する媒体ＩＤテーブルを参照する（ステップＳＤ４）。
【０１３４】
図８は、媒体ＩＤテーブルの一例を示す図である。
図８に示すように、媒体ＩＤテーブルは、媒体ＩＤに応じて複数のレコードを有し、各レコードは、媒体ＩＤと、媒体設定情報と、動作設定情報と、を対応付けて記憶する。
上述したように、媒体設定情報とは、媒体設定項目と、ロール紙Ｒに対応した設定値との組み合わせである。また、動作設定情報とは、媒体設定項目と、ロール紙Ｒに対応した推奨される設定値との組み合わせである。
制御部３０は、ロール紙Ｒの媒体ＩＤをキーとして、媒体ＩＤテーブルを参照することにより、そのロール紙Ｒの媒体設定情報と、動作設定情報とを取得できる。
【０１３５】
次いで、制御部３０は、ステップＳＤ３で取得した媒体ＩＤをキーとして媒体ＩＤテーブルを参照し、対応するレコードを特定し、媒体設定情報、及び、動作設定情報を取得する（ステップＳＤ５）。
【０１３６】
次いで、制御部３０は、ステップＳＤ５で取得した媒体設定情報に基づいて、設定ファイル３９１の媒体設定項目に設定値をセットする（ステップＳＤ６）。
ステップＳＡ４において、制御部３０は、媒体設定情報における媒体設定項目と設定値との組み合わせと、設定ファイル３９１における媒体設定項目と設定値との組み合わせとが一致するように、設定ファイル３９１の内容を書き換える。
【０１３７】
次いで、制御部３０は、ステップＳＤ５で取得した動作設定情報に基づいて、設定ファイル３９１の動作設定項目に設定値をセットする（ステップＳＤ７）。
ステップＳＡ５において、制御部３０は、動作設定情報における動作設定項目と設定値との組み合わせと、設定ファイル３９１における動作設定項目と設定値との組み合わせとが一致するように、設定ファイル３９１の内容を書き換える。
【０１３８】
次いで、制御部３０は、報知部３７を制御して、設定が完了したことを報知する（ステップＳＤ８）。
【０１３９】
次いで、制御部３０は、切り離し処理を実行する（ステップＳＤ９）。
【０１４０】
次いで、制御部３０は、通信部３８を制御して、ステップＳＤ３で取得した媒体ＩＤをホストコンピューター３に送信する（ステップＳＤ１０）。
【０１４１】
図７（Ｂ）に示すように、ホストコンピューター３の制御装置制御部５０は、制御装置通信部５４を制御して、媒体ＩＤを受信する（ステップＳＥ１）。
【０１４２】
次いで、制御装置制御部５０は、制御装置記憶部５３が記憶する制御用媒体ＩＤテーブルを参照する（ステップＳＥ２）。制御用媒体ＩＤテーブルは、上述した媒体ＩＤテーブルと同一性を有するデータであり、媒体ＩＤと、媒体設定情報と、動作設定情報とを対応付けて記憶する。
【０１４３】
次いで、制御装置制御部５０は、ステップＳＥ１で受信した媒体ＩＤをキーとして制御用媒体ＩＤテーブルを参照し、対応するレコードを特定し、媒体設定情報、及び、動作設定情報を取得する（ステップＳＥ３）。
【０１４４】
次いで、制御装置制御部５０は、ステップＳＥ３で取得した媒体設定情報に基づいて、制御用設定ファイル５３１の媒体設定項目に設定値をセットする（ステップＳＥ４）。
【０１４５】
次いで、制御装置制御部５０は、ステップＳＥ４で取得した動作設定情報に基づいて、制御用設定ファイル５３１の動作設定項目に設定値をセットする（ステップＳＥ５）。
【０１４６】
以上説明したように、本実施形態では、設定情報バーコードが示す情報に、媒体ＩＤが含まれる。
記録装置１は、媒体ＩＤと媒体設定情報と動作設定情報とを対応付けて記憶する。そして、記録装置１の制御部３０は、バーコードリーダー１６の読取結果に基づいて取得した媒体ＩＤ及び記憶した情報に基づいて、記録媒体に関する設定、及び、記録動作に関する設定を行う。また、制御部３０は、媒体ＩＤを、ホストコンピューター３に送信する。ホストコンピューター３は、媒体ＩＤと媒体設定情報と動作設定情報とを対応付けて記憶する。ホストコンピューター３の制御装置制御部５０は、受信した媒体ＩＤ及び記憶した情報に基づいて、記録媒体に関する設定、及び、記録動作に関する設定を行う。
この構成によれば、バーコードリーダー１６の読取結果に基づいて、記録装置１、及び、ホストコンピューター３により自動で記録媒体に関する設定、及び、記録動作に関する設定が行われる。これにより、上述した第１実施形態で説明した効果と同様の効果を奏する。
【０１４７】
＜第３実施形態＞
次いで、第３実施形態について説明する。
図９は、第３実施形態に係る記録システム２ｂの構成を示す図である。
以下の第３実施形態の説明では、第１実施形態と同様の構成要素については、同一の符号を付し、その詳細な説明を省略する。
【０１４８】
図９に示すように、記録システム２ｂは、記録装置１と、ホストコンピューター３と、管理装置４と、を備える。
ホストコンピューター３は、制御装置ネットワーク通信部５５を備える。
制御装置ネットワーク通信部５５は、制御装置制御部５０の制御で、インターネットを含んで構成されたネットワークＮを介して、所定の通信規格に従って、管理装置４と通信する。
【０１４９】
管理装置４は、ネットワークＮと接続するサーバー装置である。
図９に示すように、管理装置４は、管理装置制御部６０と、管理装置記憶部６１と、管理装置ネットワーク通信部６２とを備える。
管理装置制御部６０は、ＣＰＵや、ＲＯＭ、ＲＡＭ、その他の周辺回路等を備え、管理装置４を制御する。
管理装置記憶部６１は、不揮発性メモリーを備え、各種データを記憶する。管理装置記憶部６１は、管理用媒体ＩＤテーブル６１１を記憶する。管理用媒体ＩＤテーブル６１１は、上述した媒体ＩＤテーブルと同一性を有するデータであり、媒体ＩＤと、媒体設定情報と、動作設定情報とを対応付けて記憶する。
管理装置ネットワーク通信部６２は、管理装置制御部６０の制御で、所定の通信規格に従って、ネットワークＮと接続する機器（ホストコンピューター３を含む）と通信する。
【０１５０】
図１０は、記録装置１に新たにロール紙Ｒを収容する場合の、第３実施形態に係る記録装置１、ホストコンピューター３、及び、管理装置４の動作を示すフローチャートである。図１０（Ａ）は記録装置１の動作を、（Ｂ）はホストコンピューター３の動作を、（Ｃ）は管理装置４の動作を示す。
【０１５１】
なお、本実施形態では、ロール紙Ｒに記録された設定情報バーコードは、第２実施形態と同様、媒体設定情報及び動作設定情報ではなく、媒体ＩＤを示す。
【０１５２】
図１０（Ａ）のフローチャートの前に、ユーザーにより、記録装置１へのロール紙Ｒの収容が行われる。その際、設定情報バーコードが、バーコードリーダー１６の読取位置よりも、搬送方向Ｈの上流側に位置した状態とされる。
【０１５３】
図１０（Ａ）に示すように、記録装置１の制御部３０は、バーコード読取処理の実行が指示されたか否かを監視する（ステップＳＦ１）。
【０１５４】
バーコード読取処理の実行が指示された場合（ステップＳＦ１：ＹＥＳ）、制御部３０は、バーコード読取処理を実行する（ステップＳＦ２）。
【０１５５】
次いで、制御部３０は、バーコードリーダー１６から入力された読取結果を示す情報に基づいて、媒体ＩＤを取得する（ステップＳＦ３）。
【０１５６】
次いで、制御部３０は、通信部３８を制御して、ステップＳＦ３で取得した媒体ＩＤをホストコンピューター３に送信する（ステップＳＦ４）。
【０１５７】
図１０（Ｂ）に示すように、ホストコンピューター３の制御装置制御部５０は、制御装置通信部５４を制御して、媒体ＩＤを受信する（ステップＳＧ１）。
【０１５８】
次いで、制御装置制御部５０は、制御装置ネットワーク通信部５５を制御して、媒体ＩＤを管理装置４に送信する（ステップＳＧ２）。
なお、制御装置制御部５０は、管理装置４のアクセス先のアドレス等、管理装置４と通信するのに必要な情報を管理する。ステップＳＧ２で、制御装置制御部５０は、管理する情報に基づいて、管理装置４との間で所定の通信規格に準拠したコネクションを確立し、確立したコネクションにより、媒体ＩＤを送信する。
【０１５９】
図１０（Ｃ）に示すように、管理装置４の管理装置制御部６０は、管理装置ネットワーク通信部６２を制御して、媒体ＩＤを受信する（ステップＳＨ１）。
【０１６０】
次いで、管理装置制御部６０は、管理装置記憶部６１が記憶する管理用媒体ＩＤテーブル６１１を参照する（ステップＳＨ２）。
【０１６１】
次いで、管理装置制御部６０は、ステップＳＨ１で受信した媒体ＩＤをキーとして管理用媒体ＩＤテーブル６１１を参照し、対応するレコードを特定し、媒体設定情報、及び、動作設定情報を取得する（ステップＳＨ３）。
【０１６２】
次いで、管理装置制御部６０は、管理装置ネットワーク通信部６２を制御して、ステップＳＨ３で取得した媒体設定情報、及び、動作設定情報を、ホストコンピューター３に送信する（ステップＳＨ４）。ステップＳＨ４で、管理装置制御部６０は、ホストコンピューター３との間で確立したコネクションにより、媒体設定情報、及び、動作設定情報を送信する。
【０１６３】
図１０（Ｂ）に示すように、ホストコンピューター３の制御装置制御部５０は、制御装置ネットワーク通信部５５を制御して、媒体設定情報、及び、動作設定情報を受信する（ステップＳＧ３）。
【０１６４】
次いで、制御装置制御部５０は、ステップＳＧ３で受信した媒体設定情報に基づいて、制御用設定ファイル５３１の媒体設定項目に設定値をセットする（ステップＳＧ４）。
【０１６５】
次いで、制御装置制御部５０は、ステップＳＧ３で受信した動作設定情報に基づいて、制御用設定ファイル５３１の動作設定項目に設定値をセットする（ステップＳＧ５）。
【０１６６】
次いで、制御装置制御部５０は、制御装置通信部５４を制御して、媒体設定情報、及び、動作設定情報を記録装置１に送信する（ステップＳＧ６）。
【０１６７】
図１０（Ａ）に示すように、記録装置１の制御部３０は、通信部３８を制御して、媒体設定情報、及び、動作設定情報を受信する（ステップＳＦ５）。
【０１６８】
次いで、制御部３０は、ステップＳＦ５で受信した媒体設定情報に基づいて、設定ファイル３９１の媒体設定項目に設定値をセットする（ステップＳＦ６）。
【０１６９】
次いで、制御部３０は、ステップＳＦ５で取得した動作設定情報に基づいて、設定ファイル３９１の動作設定項目に設定値をセットする（ステップＳＦ７）。
【０１７０】
次いで、制御部３０は、報知部３７を制御して、設定が完了したことを報知する（ステップＳＦ８）。
【０１７１】
次いで、制御部３０は、切り離し処理を実行する（ステップＳＦ９）。
【０１７２】
以上説明したように、本実施形態では、設定情報バーコードが示す情報に、媒体ＩＤが含まれる。
記録装置１は、バーコードリーダー１６の読取結果に基づいて取得した媒体ＩＤをホストコンピューター３に送信する。ホストコンピューター３は、媒体ＩＤを管理装置４に送信する。管理装置４は、媒体ＩＤに基づいて、媒体設定情報、及び、動作設定情報を取得し、これら情報をホストコンピューター３に送信する。ホストコンピューター３は、媒体設定情報に基づいて記録媒体に関する設定を行う。また、ホストコンピューター３は、動作設定情報に基づいて記録動作に関する設定を行う。ホストコンピューター３は、媒体設定情報、及び、動作設定情報を記録装置１に送信する。記録装置１は、媒体設定情報に基づいて記録媒体に関する設定を行う。また、記録装置１は、動作設定情報に基づいて記録動作に関する設定を行う。
この構成によれば、バーコードリーダー１６の読取結果に基づいて、記録装置１、及び、ホストコンピューター３により自動で記録媒体に関する設定、及び、記録動作に関する設定が行われる。これにより、上述した第１実施形態で説明した効果と同様の効果を奏する。
さらに、本実施形態によれば、記録装置１、及び、ホストコンピューター３は、媒体ＩＤと媒体設定情報と動作設定情報とを対応付けるテーブルを記憶する必要がない。一方、管理装置４で、当該テーブルを一元管理でき、テーブルの内容に変更がある場合は、管理装置４のテーブルの内容を変更すればよく、メンテナンスが容易である。
【０１７３】
＜第４実施形態＞
次いで、第４実施形態について説明する。
図１１は、第４実施形態に係る記録システム２ｃの構成を示す図である。
以下の第４実施形態の説明では、第３実施形態と同様の構成要素については、同一の符号を付し、その詳細な説明を省略する。
【０１７４】
図１１に示すように、記録システム２ｂは、記録装置１と、ホストコンピューター３と、管理装置４と、を備える。
記録装置１は、ネットワーク通信部４０を備える。
ネットワーク通信部４０は、制御部３０の制御で、インターネットを含んで構成されたネットワークＮを介して、所定の通信規格に従って、管理装置４と通信する。
【０１７５】
図１２は、記録装置１に新たにロール紙Ｒを収容する場合の、第４実施形態に係る記録装置１、ホストコンピューター３、及び、管理装置４の動作を示すフローチャートである。図１２（Ａ）は記録装置１の動作を、（Ｂ）はホストコンピューター３の動作を、（Ｃ）は管理装置４の動作を示す。
【０１７６】
なお、本実施形態では、ロール紙Ｒに記録された設定情報バーコードは、第２、３実施形態と同様、媒体設定情報及び動作設定情報ではなく、媒体ＩＤを示す。
【０１７７】
図１２（Ａ）のフローチャートの前に、ユーザーにより、記録装置１へのロール紙Ｒの収容が行われる。その際、設定情報バーコードが、バーコードリーダー１６の読取位置よりも、搬送方向Ｈの上流側に位置した状態とされる。
【０１７８】
図１２（Ａ）に示すように、記録装置１の制御部３０は、バーコード読取処理の実行が指示されたか否かを監視する（ステップＳＩ１）。
【０１７９】
バーコード読取処理の実行が指示された場合（ステップＳＩ１：ＹＥＳ）、制御部３０は、バーコード読取処理を実行する（ステップＳＩ２）。
【０１８０】
次いで、制御部３０は、バーコードリーダー１６から入力された読取結果を示す情報に基づいて、媒体ＩＤを取得する（ステップＳＩ３）。
【０１８１】
次いで、制御部３０は、ネットワーク通信部４０を制御して、ステップＳＩ３で取得した媒体ＩＤを、管理装置４に送信する（ステップＳＩ４）。ステップＳＩ４で、制御部３０は、媒体ＩＤと併せて、ホストコンピューター３のアクセス先のアドレス等、管理装置４がホストコンピューター３と通信する際に必要な情報を、送信する。制御部３０は、当該情報を管理する。
また、制御部３０は、管理装置４のアクセス先のアドレス等、管理装置４と通信するのに必要な情報を管理する。ステップＳＩ４で、制御部３０は、管理する情報に基づいて、管理装置４との間で所定の通信規格に準拠したコネクションを確立し、確立したコネクションにより、媒体ＩＤを送信する。
【０１８２】
図１２（Ｃ）に示すように、管理装置４の管理装置制御部６０は、管理装置ネットワーク通信部６２を制御して、媒体ＩＤと、ホストコンピューター３と通信する場合に必要な情報と、を受信する（ステップＳＫ１）。
【０１８３】
次いで、管理装置制御部６０は、管理装置記憶部６１が記憶する管理用媒体ＩＤテーブル６１１を参照する（ステップＳＫ２）。
【０１８４】
次いで、管理装置制御部６０は、ステップＳＫ１で受信した媒体ＩＤをキーとして管理用媒体ＩＤテーブル６１１を参照し、対応するレコードを特定し、媒体設定情報、及び、動作設定情報を取得する（ステップＳＫ３）。
【０１８５】
次いで、管理装置制御部６０は、管理装置ネットワーク通信部６２を制御して、ステップＳＫ３で取得した媒体設定情報、及び、動作設定情報を、ホストコンピューター３に送信する（ステップＳＫ４）。ステップＳＫ４で、管理装置制御部６０は、ステップＳＫ１で受信した、ホストコンピューター３と通信するのに必要な情報に基づいて、ホストコンピューター３との間でコネクションを確立し、コネクションにより、情報を送信する。
【０１８６】
図１２（Ｂ）に示すように、ホストコンピューター３の制御装置制御部５０は、制御装置ネットワーク通信部５５を制御して、媒体設定情報、及び、動作設定情報を受信する（ステップＳＪ１）。
【０１８７】
次いで、制御装置制御部５０は、ステップＳＪ１で受信した媒体設定情報に基づいて、制御用設定ファイル５３１の媒体設定項目に設定値をセットする（ステップＳＪ２）。
【０１８８】
次いで、制御装置制御部５０は、ステップＳＪ１で受信した動作設定情報に基づいて、制御用設定ファイル５３１の動作設定項目に設定値をセットする（ステップＳＪ３）。
【０１８９】
次いで、制御装置制御部５０は、制御装置通信部５４を制御して、媒体設定情報、及び、動作設定情報を記録装置１に送信する（ステップＳＪ４）。
【０１９０】
図１２（Ａ）に示すように、記録装置１の制御部３０は、通信部３８を制御して、媒体設定情報、及び、動作設定情報を受信する（ステップＳＩ５）。
【０１９１】
次いで、制御部３０は、ステップＳＩ５で受信した媒体設定情報に基づいて、設定ファイル３９１の媒体設定項目に設定値をセットする（ステップＳＩ６）。
【０１９２】
次いで、制御部３０は、ステップＳＩ５で取得した動作設定情報に基づいて、設定ファイル３９１の動作設定項目に設定値をセットする（ステップＳＩ７）。
【０１９３】
次いで、制御部３０は、報知部３７を制御して、設定が完了したことを報知する（ステップＳＩ８）。
【０１９４】
次いで、制御部３０は、切り離し処理を実行する（ステップＳＩ９）。
【０１９５】
以上説明したように、本実施形態では、設定情報バーコードが示す情報に、媒体ＩＤが含まれる。
記録装置１は、バーコードリーダー１６の読取結果に基づいて取得した媒体ＩＤを管理装置４に送信する。管理装置４は、媒体ＩＤに基づいて、媒体設定情報、及び、動作設定情報を取得し、これら情報をホストコンピューター３に送信する。ホストコンピューター３は、媒体設定情報に基づいて記録媒体に関する設定を行う。また、ホストコンピューター３は、動作設定情報に基づいて記録動作に関する設定を行う。ホストコンピューター３は、媒体設定情報、及び、動作設定情報を記録装置１に送信する。記録装置１は、媒体設定情報に基づいて記録媒体に関する設定を行う。また、記録装置１は、動作設定情報に基づいて記録動作に関する設定を行う。
この構成によれば、バーコードリーダー１６の読取結果に基づいて、記録装置１、及び、ホストコンピューター３により自動で記録媒体に関する設定、及び、記録動作に関する設定が行われる。これにより、上述した第１実施形態で説明した効果と同様の効果を奏する。
さらに、本実施形態によれば、記録装置１、及び、ホストコンピューター３は、媒体ＩＤと媒体設定情報と動作設定情報とを対応付けるテーブルを記憶する必要がない。一方、管理装置４で、当該テーブルを一元管理でき、テーブルの内容に変更がある場合は、管理装置４のテーブルの内容を変更すればよく、メンテナンスが容易である。
【０１９６】
＜第５実施形態＞
次いで、第５実施形態について説明する。
第５実施形態に係る記録システム２ｄは、図１１で示す第４実施形態に係る記録システム２ｃと同様の構成を有する。
【０１９７】
図１３は、記録装置１に新たにロール紙Ｒを収容する場合の、第５実施形態に係る記録装置１、ホストコンピューター３、及び、管理装置４の動作を示すフローチャートである。図１３（Ａ）は記録装置１の動作を、（Ｂ）はホストコンピューター３の動作を、（Ｃ）は管理装置４の動作を示す。
【０１９８】
なお、本実施形態では、ロール紙Ｒに記録された設定情報バーコードは、第２、３、４実施形態と同様、媒体設定情報及び動作設定情報ではなく、媒体ＩＤを示す。
【０１９９】
図１３（Ａ）のフローチャートの前に、ユーザーにより、記録装置１へのロール紙Ｒの収容が行われる。その際、設定情報バーコードが、バーコードリーダー１６の読取位置よりも、搬送方向Ｈの上流側に位置した状態とされる。
【０２００】
図１３（Ａ）に示すように、記録装置１の制御部３０は、バーコード読取処理の実行が指示されたか否かを監視する（ステップＳＬ１）。
【０２０１】
バーコード読取処理の実行が指示された場合（ステップＳＬ１：ＹＥＳ）、制御部３０は、バーコード読取処理を実行する（ステップＳＬ２）。
【０２０２】
次いで、制御部３０は、バーコードリーダー１６から入力された読取結果を示す情報に基づいて、媒体ＩＤを取得する（ステップＳＬ３）。
【０２０３】
次いで、制御部３０は、ネットワーク通信部４０を制御して、ステップＳＬ３で取得した媒体ＩＤを、管理装置４に送信する（ステップＳＬ４）。
制御部３０は、管理装置４のアクセス先のアドレス等、管理装置４と通信するのに必要な情報を管理する。ステップＳＩ４で、制御部３０は、管理する情報に基づいて、管理装置４との間で所定の通信規格に準拠したコネクションを確立し、確立したコネクションにより、媒体ＩＤを送信する。
【０２０４】
図１３（Ｃ）に示すように、管理装置４の管理装置制御部６０は、管理装置ネットワーク通信部６２を制御して、媒体ＩＤを受信する（ステップＳＮ１）。
【０２０５】
次いで、管理装置制御部６０は、管理装置記憶部６１が記憶する管理用媒体ＩＤテーブル６１１を参照する（ステップＳＮ２）。
【０２０６】
次いで、管理装置制御部６０は、ステップＳＫ１で受信した媒体ＩＤをキーとして管理用媒体ＩＤテーブル６１１を参照し、対応するレコードを特定し、媒体設定情報、及び、動作設定情報を取得する（ステップＳＮ３）。
【０２０７】
次いで、管理装置制御部６０は、管理装置ネットワーク通信部６２を制御して、ステップＳＫ３で取得した媒体設定情報、及び、動作設定情報を、記録装置１に送信する（ステップＳＮ４）。ステップＳＮ４で、管理装置制御部６０は、記録装置１との間で確立したコネクションにより、情報を送信する。
【０２０８】
図１３（Ａ）に示すように、記録装置１の制御部３０は、通信部３８を制御して、媒体設定情報、及び、動作設定情報を受信する（ステップＳＬ５）。
【０２０９】
次いで、制御部３０は、ステップＳＬ５で受信した媒体設定情報に基づいて、設定ファイル３９１の媒体設定項目に設定値をセットする（ステップＳＬ６）。
【０２１０】
次いで、制御部３０は、ステップＳＬ５で取得した動作設定情報に基づいて、設定ファイル３９１の動作設定項目に設定値をセットする（ステップＳＬ７）。
【０２１１】
次いで、制御部３０は、報知部３７を制御して、設定が完了したことを報知する（ステップＳＬ８）。
【０２１２】
次いで、制御部３０は、切り離し処理を実行する（ステップＳＬ９）。
【０２１３】
次いで、制御部３０は、通信部３８を制御して、媒体設定情報、及び、動作設定情報を、ホストコンピューター３に送信する（ステップＳＬ１０）。
【０２１４】
図１３（Ｂ）に示すように、ホストコンピューター３の制御装置制御部５０は、制御装置通信部５４を制御して、媒体設定情報、及び、動作設定情報を受信する（ステップＳＭ１）。
【０２１５】
次いで、制御装置制御部５０は、ステップＳＭ１で受信した媒体設定情報に基づいて、制御用設定ファイル５３１の媒体設定項目に設定値をセットする（ステップＳＭ２）。
【０２１６】
次いで、制御装置制御部５０は、ステップＳＭ１で受信した動作設定情報に基づいて、制御用設定ファイル５３１の動作設定項目に設定値をセットする（ステップＳＭ３）。
【０２１７】
以上説明したように、本実施形態では、設定情報バーコードが示す情報に、媒体ＩＤが含まれる。
記録装置１は、バーコードリーダー１６の読取結果に基づいて取得した媒体ＩＤを管理装置４に送信する。管理装置４は、媒体ＩＤに基づいて、媒体設定情報、及び、動作設定情報を取得し、これら情報を記録装置１に送信する。記録装置１は、媒体設定情報に基づいて記録媒体に関する設定を行う。また、記録装置１は、動作設定情報に基づいて記録動作に関する設定を行う。また、記録装置１は、媒体設定情報、及び、動作設定情報をホストコンピューター３に送信する。ホストコンピューター３は、媒体設定情報に基づいて記録媒体に関する設定を行う。また、ホストコンピューター３は、動作設定情報に基づいて記録動作に関する設定を行う。
この構成によれば、バーコードリーダー１６の読取結果に基づいて、記録装置１、及び、ホストコンピューター３により自動で記録媒体に関する設定、及び、記録動作に関する設定が行われる。これにより、上述した第１実施形態で説明した効果と同様の効果を奏する。
さらに、本実施形態によれば、記録装置１、及び、ホストコンピューター３は、媒体ＩＤと媒体設定情報と動作設定情報とを対応付けるテーブルを記憶する必要がない。一方、管理装置４で、当該テーブルを一元管理でき、テーブルの内容に変更がある場合は、管理装置４のテーブルの内容を変更すればよく、メンテナンスが容易である。
【０２１８】
なお、上述した実施の形態は、あくまでも本発明の一態様を示すものであり、本発明の範囲内で任意に変形および応用が可能である。
例えば、上述した実施形態では、ロール紙Ｒに記録されるコードは、バーコードであった。しかしながら、コードは、バーコードに限らず、例えば、２次元コードであってもよい。すなわち、コードは、記録装置１が備える読取装置により読み取り可能な情報であればよい。
また、上述した実施形態では、記録装置１の記録方式は、シリアルインクジェット方式であった。しかしながら、記録装置１の記録方式は、例示したものに限らない。すなわち、記録方式にかかわらず、記録媒体を収納する記録装置であれば、本発明を適用可能である。
また、記録装置１とホストコンピューター３との間で媒体設定情報及び動作設定情報を送受信する場合、すべての設定情報を送信しても良いし、送信先において必要な設定情報だけを送信しても良い。例えば、媒体設定情報のうち、用紙形態、ラベル間ギャップ、ブラックマーク間隔などは、記録装置１に必要な設定情報であり、ホストコンピューター３には必ずしも送信する必要はない。
また、図を用いて説明した各機能ブロックはハードウェアとソフトウェアにより任意に実現可能であり、特定のハードウェア構成を示唆するものではない。
【符号の説明】
【０２１９】
１…記録装置、２…記録システム、３…ホストコンピューター（制御装置）、４…管理装置、１０…記録ヘッド（記録部）、１４１、１４２、１４３…搬送ローラー（搬送部）、１６…バーコードリーダー（読取部）、３０…制御部、３１…モーター駆動回路（搬送部）、３３…搬送モーター（搬送部）、３７…報知部、５０…制御装置制御部、６０…管理装置制御部、Ｒ…ロール紙（記録媒体）。
【図１】
2016036935.tif 000003
【図２】
2016036935.tif 000004
【図３】
2016036935.tif 000005
【図４】
2016036935.tif 000006
【図５】
2016036935.tif 000007
【図６】
2016036935.tif 000008
【図７】
2016036935.tif 000009
【図８】
2016036935.tif 000010
【図９】
2016036935.tif 000011
【図１０】
2016036935.tif 000012
【図１１】
2016036935.tif 000013
【図１２】
2016036935.tif 000014
【図１３】
2016036935.tif 000015